(57)【要約】【課題】高齢者や子供等でも容易に情報検索等の入力操作を行うことができ、誰にでも容易に操作をすることができる情報入力技術を提供する。【解決手段】指定できる検索条件を来店客に連想させるメタファとなる物にＲＦＩＤタグを貼付したサンプル１からスタイルサンプル１３、色サンプル１２、材質サンプル１１及びサイズサンプル１０が１つずつ以上ＲＦＩＤリーダ３上に置かれると、それらのサンプル１によって指定される検索条件に該当する靴が検索され、検索結果画面がモニタ６に表示される。来店客がＲＦＩＤリーダ３上に操作プレート２を置くと、検索条件に該当した靴の３Ｄ映像等をモニタ６に表示する。【選択図】図１
2008217753.tif 000002
【特許請求の範囲】
【請求項１】
指定可能な検索条件を隠喩により具現した有体物である検索条件見本が読取領域に置かれたときに、当該検索条件見本を識別する識別情報が記憶されている記録媒体から識別情報を読み取る読取過程と、
前記読取過程により読み取られた識別情報に基づき、前記読取領域に置かれた当該検索条件見本を識別し、識別した当該検索条件見本によって指定される検索条件を入力として受け付ける処理過程と
を有する情報入力方法。
【請求項２】
指定可能な検索条件を隠喩により具現した有体物である検索条件見本が読取領域に置かれたときに、当該検索条件見本を識別する識別情報が記憶されている記録媒体から識別情報を読み取る読取機能と、
前記読取機能により読み取られた識別情報に基づき、前記読取領域に置かれた当該検索条件見本を識別し、識別した当該検索条件見本によって指定される検索条件を入力として受け付ける処理機能と
をコンピュータに実現させるための情報入力プログラム。
【請求項３】
指定可能な検索条件を隠喩により具現した有体物である検索条件見本が読取領域に置かれたときに、当該検索条件見本を識別する識別情報が記憶され当該検索条件見本に付されている記録媒体から識別情報を読み取る読取手段と、
前記読取手段により読み取られた識別情報に基づき、前記読取領域に置かれた当該検索条件見本を識別し、識別した当該検索条件見本によって指定される検索条件を入力として受け付ける処理手段と
を有する情報入力装置。
【請求項４】
前記読取手段は、
指定可能な操作を隠喩により具現した有体物である操作プレートが前記読取領域に置かれたときに当該操作プレートを識別する識別情報が記憶され当該操作プレートに付されている記録媒体から識別情報を読み取り、
前記処理手段は、前記読取手段により読み取られた識別情報に基づき、前記読取領域に置かれた前記操作プレートを識別し、識別した前記操作プレートによって指定される操作を入力として受け付ける、請求項３記載の情報入力装置。
【請求項５】
前記検索条件見本を識別する識別情報が記憶されているＲＦＩＤタグが当該有体物に付されている、請求項３又は４記載の情報入力装置。
【請求項６】
前記操作プレートを識別する識別情報が記憶されているＲＦＩＤタグが当該有体物に付されている、請求項４又は５記載の情報入力装置。
【請求項７】
入力内容を隠喩により具現した有体物が読み取り領域に置かれたときに、当該有体物に対応する操作内容を識別する識別情報が記憶され当該有体物に付されている記録媒体から識別情報を読み取る読み取り手段と、
前記読取手段により読み取られた識別情報に基づき、前記読取領域に置かれた当該有体物を識別し、識別した当該有体物によって指定される入力内容を入力として受け付ける処理手段と
を有することを特徴とする情報入力装置。
【請求項８】
入力内容を特定する識別情報を記憶した記録媒体が配置されたシートと、
前記識別情報を非読み取り状態にする操作プレートと、
前記シートに配置された記録媒体から、当該記録媒体に記憶された識別情報を読み出す読み出し手段と、
前記読み出し手段が読み出した識別情報に基づいて、前記シートに配置された記録媒体に記憶された識別情報のうち、前記操作プレートによって非読み取り状態となった識別情報を、前記操作プレートによって指定される入力内容を入力として受け付ける処理手段と、
を有することを特徴とする情報入力装置。
【請求項９】
入力内容を特定する識別情報を記憶した記録媒体が配置されたシートと、
前記識別情報を非読み取り状態にすると共に、動かされた操作を検出する操作手段と、
前記シートに配置された記録媒体から、当該記録媒体に記憶された識別情報を読み取る読取手段と、
前記読取手段が読み取った識別情報に基づいて、前記シートに配置された記録媒体に記憶された識別情報のうち、前記操作手段によって非読み取り状態となった識別情報を、前記操作手段によって指定される入力内容とし、前記検出手段が検出した操作を、当該入力内容における操作を示す情報として受け付ける処理手段と
を有する情報入力装置。
【請求項１０】
入力内容を特定する識別情報を記憶した記録媒体が付され、動かされた操作を検出する操作手段と、
前記操作手段が読取領域に置かれたときに、前記記録媒体から識別情報を読み取る読取手段と、
前記読取手段により読み取られた識別情報に基づき、前記読取領域に置かれた前記操作手段の入力内容を識別し、前記検出手段が検出した操作を、当該入力内容における操作を示す情報として受け付ける処理手段と
を有する情報入力装置。
【請求項１１】
前記操作手段は、前記動かされた操作として回転操作を検出する加速度検出器を有し、当該加速度検出器が傾けられて回転操作される、請求項９又は１０記載の情報入力装置。
【発明の詳細な説明】
【技術分野】
【０００１】
本発明は、情報の検索条件や表示指示等のユーザが指定する事項を各種情報処理に供する入力情報として受け付けるための情報入力技術に関する。
【背景技術】
【０００２】
インターネット上のWebページによる情報提供サービスでは、階層構造の画面中でユーザが行う所定のメニュー選択や検索条件入力等の入力操作により、画面階層間を遷移して所望の情報にアクセスする情報検索を行うことが一般的に実施されている。このような形態の情報検索は、Webページによる情報提供サービスのみならず、ユーザが端末機等を操作して所望の情報にアクセスする情報提供システム一般において広く実施されており、店舗等の施設で当該施設に関連した情報提供を所定の情報表示端末等で行うような場合にも採用されている。
【０００３】
例えば、婦人靴を販売する店舗においては、来店客がタッチパネルのボタン操作等によって指定した靴の在庫の有無を表示する婦人靴システムが導入されているところもある。
その既存の婦人靴システムでは、商品陳列棚の展示靴に各靴識別用のＲＦＩＤ（Radio Frequency Identification）タグを貼付しておき、タッチパネルに併設したＲＦＩＤリーダ上に来店客が展示靴を置くと、タッチパネルの画面表示が当該展示靴のスタイル及び色とサイズの選択ボタンとを示した在庫検索画面に遷移する。そして、来店客が自身のサイズの選択ボタンを操作すると、当該展示靴のスタイル及び色で選択したサイズに該当する靴の在庫が検索され、その在庫の有無が表示される。また、在庫検索画面における他のボタン操作では、置いた展示靴の色とは異なる色を選択して在庫を検索したり、他の商品を探すメニューを選択したりすることもでき、来店客が他の商品を探すメニューを選択した場合には、スタイル、色及びサイズのそれぞれについていくつかの選択ボタンが用意された検索条件設定画面に遷移する。検索条件設定画面では、来店客が所望のスタイル、色及びサイズを選択して検索を実行させると、その選択したスタイル、色及びサイズを検索条件として店舗内にある商品の靴が検索され、検索条件に合致する靴が示された検索結果画面に遷移する。来店客は、検索結果画面で所望の靴の有無を見ることができるが、色・サイズの変更ボタンを操作して再び検索条件設定画面に戻り、検索条件を変更してさらに他の靴を探すこともできる。
【０００４】
このような靴等の商品に関する情報やWebページの情報等を検索するに当たっては、ユーザに対し、所望の情報が表示される画面にたどり着く適切な入力操作を行うことが求められ、所望の検索結果が得られない場合には前の画面に戻って再検索をする入力操作等も要求される。しかし、それらの入力操作は、情報機器に疎い高齢者等にとっては容易でなく、ユーザが探したい商品等の情報を見つけることが困難になっている場合もある。かかる実情と現代社会における高齢化の進行を背景として、Webページによる情報提供システムに関しては、高齢者を対象にアクセシビリティの向上を試みた次のような技術が提案されている。
【０００５】
非特許文献１及び非特許文献２には、高齢者のメンタルモデルからWebページを作成する技術が開示されている。これらの文献によれば、高齢者は、画面をスクロールしたり画面中のリンクが張られた部分をクリックしたりする選択行動を避ける傾向にあって、画面階層間を繰り返し遷移することがないので、十分情報検索を行うことができない。そこで、非特許文献１の技術は、リンクをしなくても済むようにできるだけリンクを張らずに一画面に情報を詰め込んで表示することとし、非特許文献２の技術は、スクロールをしなくても済むように買い物システムの全商品を一画面内に表示することとしている。
【０００６】
非特許文献３及び非特許文献４では、高齢者にとってはマウスカーソルをリンクに合わせてクリックする操作が難しいことから、その困難性を軽減するための技術が開示されている。非特許文献３の技術は、クリック時にマウスの位置がずれても所定の範囲を許容誤差としてリンク部分を拡大することとし、非特許文献４の技術は、リンクからのマウスカーソルのずれを判別してずれる前の位置へ戻す補正を行うこととしている。
【非特許文献１】山内  英明、“高齢者の特性を考慮したWebページの作成方針の提案”、[online]、東京理科大学  工学部  経営工学科  山本研究室、［平成１９年２月２日検索］、インターネット<ＵＲＬ：http://hci.ms.kagu.tus.ac.jp/theme/2002/pdf/yamauchi.pdf>
【非特許文献２】成田  有希、“高齢者の買い物システムの使用性に関する人間工学的研究”、[online]、東京理科大学 山本 栄 研究室、［平成１９年２月２日検索］、インターネット<ＵＲＬ：http://hci.ms.kagu.tus.ac.jp/theme/2000/Narita_Yuuki.pdf>
【非特許文献３】横内  一弥、“Webページを閲覧する際に見られる高齢者の特性を考慮したブラウザの作成”、[online]、東京理科大学  工学部  経営工学科  山本研究室、［平成１９年２月２日検索］、インターネット<ＵＲＬ：http://hci.ms.kagu.tus.ac.jp/theme/2003/pdf/yokouti.pdf>
【非特許文献４】高橋  祐一、外１名、“高齢者のためのウェブブラウザ操作支援ツールの開発”、[online]、東京理科大学工学部  経営工学科  山本研究室、［平成１９年２月２日検索］、インターネット<ＵＲＬ：http://hci.ms.kagu.tus.ac.jp/theme/2004/pdf/takahashi-nagatsuma.pdf>
【発明の開示】
【発明が解決しようとする課題】
【０００７】
上記非特許文献１や非特許文献２の技術によれば、メニュー選択、検索条件入力及び検索結果のアイテム表示等をコンパクトに一画面にまとめて階層構造を減らし、スクロールやリンクが張られたボタンのクリック等の入力操作を減らすように画面レイアウトを工夫することができる。しかし、一画面にまとめ切れない量の情報がある場合には、結局スクロールやリンクのクリック等の入力操作をしなければならなくなるので、依然として高齢者には十分情報検索ができないという上記同様の問題は残る。そのような場合に無理にすべての情報を一画面にまとめようとすると、表示される文字等が小さくなり、視認性が悪くなる。
一方、上記非特許文献３や非特許文献４の技術では、一画面に多くのリンクを詰め込もうとする場合等でリンクが近接しているときには、許容誤差や補正対象のずれと判断すべき距離を小さくしなければならないため、補正等の効果が上がらなくなる。
【０００８】
情報提供システムのアクセシビリティ向上を図る技術において、このように何らかの問題が生じる要因の一つは、情報提供システム一般で採用されている階層構造での基本操作の仕組みを改善していないところにある。情報提供端末のパーソナル・コンピュータ等は、モニタに映し出される画面上への情報の出力、その出力情報の画面におけるボタン押下等による入力、及びその入力を契機とした画面の遷移を基本動作とし、それらの出力、入力及び遷移を基本とした階層構造による情報の提供を行う入出力システムとなっている。
これに対し、情報検索におけるユーザの基本操作では、画面トップでメニュー選択し、検索条件入力画面で検索条件を選択して検索ボタンをクリックすると、検索結果画面で検索結果のアイテムが表示され、アイテム数が多いときにはスクロール等により次ページのアイテムを参照し、探しているアイテムがなければ画面トップや検索条件入力画面へ戻って先の操作を繰り返す。すなわち、階層構造による情報提供は、出力画面に対する入力操作に応じた画面遷移を繰り返して情報を探すのが基本となっているため、これに合わせた基本操作としてメニュー選択、検索条件の選択、検索の実行、スクロール及び戻る等の入力操作を逐一繰り返して行うという仕組みになっている。したがって、この基本操作の仕組みを改善していない技術は、上記非特許文献の各技術のように入力操作の回数を減らしたり困難性を軽減したりしたとしても、従前同様の基本操作が要求される事態をすべて回避できるわけではないので、結局のところ高齢者には十分情報検索ができない等の従前同様の問題が残存してしまい、それを解消しようとすると上述した視認性の悪化等の新たな問題が発生してしまう。
【０００９】
階層構造による情報提供においては、如何に入力操作の便を図ったとしても、このように従前同様の基本操作が要求される限り、所望の情報表示画面にたどり着く適切な入力操作や前の画面に戻って再検索をする入力操作等がユーザに要求されることは変わらない。
このため、高齢者のみならず子供等の情報機器に疎い者は情報検索の操作を十分に行うことができず、情報提供システムのユーザが所望の情報にアクセスできない場合があるという従来からの実情に大きな変化はない。上記婦人靴システムのような商品検索システム等にあっては、高齢者や子供も含めて誰にでも利用することができるように広く開放すべきであるにも拘わらず、かかる実情から店舗にある情報表示端末等があまり積極的に利用されていない場合がある。
【００１０】
本発明は、このような事情に鑑みてなされたものであり、情報の検索条件等のユーザが指定する事項を情報提供システムにおける入力情報として受け付けるに当たり、ユーザに求められる基本操作の仕組みを改善してアクセシビリティを向上させ、階層構造による情報提供を十分に利用できなかった高齢者や子供等でも容易に情報検索等の入力操作を行うことができ、さらには、高齢者や子供等に対象を特定せず、誰にでも容易に操作をすることができるユニバーサルデザインを指向する入力インターフェースとしても利用することが可能な情報入力技術を提供することを目的としている。
【課題を解決するための手段】
【００１１】
上述した課題を解決するために、本発明は、指定可能な検索条件を隠喩により具現した有体物である検索条件見本が読取領域に置かれたときに、当該検索条件見本を識別する識別情報が記憶されている記録媒体から識別情報を読み取る読取過程と、前記読取過程により読み取られた識別情報に基づき、前記読取領域に置かれた当該検索条件見本を識別し、識別した当該検索条件見本によって指定される検索条件を入力として受け付ける処理過程とを有する。
【００１２】
また、本発明は、指定可能な検索条件を隠喩により具現した有体物である検索条件見本が読取領域に置かれたときに、当該検索条件見本を識別する識別情報が記憶されている記録媒体から識別情報を読み取る読取機能と、前記読取機能により読み取られた識別情報に基づき、前記読取領域に置かれた当該検索条件見本を識別し、識別した当該検索条件見本によって指定される検索条件を入力として受け付ける処理機能とをコンピュータに実現させるための情報入力プログラムである。
【００１３】
また、本発明は、指定可能な検索条件を隠喩により具現した有体物である検索条件見本が読取領域に置かれたときに、当該検索条件見本を識別する識別情報が記憶され当該検索条件見本に付されている記録媒体から識別情報を読み取る読取手段と、前記読取手段により読み取られた識別情報に基づき、前記読取領域に置かれた当該検索条件見本を識別し、識別した当該検索条件見本によって指定される検索条件を入力として受け付ける処理手段とを有する。
【００１４】
また、本発明は、上述の情報入力装置において、前記読取手段は、指定可能な操作を隠喩により具現した有体物である操作プレートが前記読取領域に置かれたときに当該操作プレートを識別する識別情報が記憶され当該操作プレートに付されている記録媒体から識別情報を読み取り、前記処理手段は、前記読取手段により読み取られた識別情報に基づき、前記読取領域に置かれた前記操作プレートを識別し、識別した前記操作プレートによって指定される操作を入力として受け付けることを特徴とする。
【００１５】
また、本発明は、上述の情報入力装置において、前記検索条件見本を識別する識別情報が記憶されているＲＦＩＤタグが当該有体物に付されていることを特徴とする。
また、本発明は、上述の情報入力装置において、前記操作プレートを識別する識別情報が記憶されているＲＦＩＤタグが当該有体物に付されていることを特徴とする。
【００１６】
また、本発明は、入力内容を隠喩により具現した有体物が読み取り領域に置かれたときに、当該有体物に対応する操作内容を識別する識別情報が記憶され当該有体物に付されている記録媒体から識別情報を読み取る読み取り手段と、前記読取手段により読み取られた識別情報に基づき、前記読取領域に置かれた当該有体物を識別し、識別した当該有体物によって指定される入力内容を入力として受け付ける処理手段とを有することを特徴とする。
また、本発明は、入力内容を特定する識別情報を記憶した記録媒体が配置されたシートと、前記識別情報を非読み取り状態にする操作プレートと、前記シートに配置された記録媒体から、当該記録媒体に記憶された識別情報を読み出す読み出し手段と、前記読み出し手段が読み出した識別情報に基づいて、前記シートに配置された記録媒体に記憶された識別情報のうち、前記操作プレートによって非読み取り状態となった識別情報を、前記操作プレートによって指定される入力内容を入力として受け付ける処理手段と、を有することを特徴とする。
【００１７】
また、本発明は、入力内容を特定する識別情報を記憶した記録媒体が配置されたシートと、前記識別情報を非読み取り状態にすると共に、動かされた操作を検出する操作手段と、前記シートに配置された記録媒体から、当該記録媒体に記憶された識別情報を読み取る読取手段と、前記読取手段が読み取った識別情報に基づいて、前記シートに配置された記録媒体に記憶された識別情報のうち、前記操作手段によって非読み取り状態となった識別情報を、前記操作手段によって指定される入力内容とし、前記検出手段が検出した操作を、当該入力内容における操作を示す情報として受け付ける処理手段とを有する。
また、本発明は、  入力内容を特定する識別情報を記憶した記録媒体が付され、動かされた操作を検出する操作手段と、前記操作手段が読取領域に置かれたときに、前記記録媒体から識別情報を読み取る読取手段と、前記読取手段により読み取られた識別情報に基づき、前記読取領域に置かれた前記操作手段の入力内容を識別し、前記検出手段が検出した操作を、当該入力内容における操作を示す情報として受け付ける処理手段とを有する。
また、本発明は、上述の情報入力装置において、前記操作手段は、前記動かされた操作として回転操作を検出する加速度検出器を有し、当該加速度検出器が傾けられて回転操作されることを特徴とする。
【発明の効果】
【００１８】
本発明によれば、指定可能な検索条件を隠喩により具現した有体物である検索条件見本が読取領域に置かれたときに、当該検索条件見本を識別する識別情報が記憶されている記録媒体から識別情報を読み取り、読み取られた識別情報に基づき、前記読取領域に置かれた当該検索条件見本を識別し、識別した当該検索条件見本によって指定される検索条件を入力として受け付けることとしたので、検索条件を入力するに当たっては、指定可能な検索条件を隠喩により具現した有体物である検索条件見本を読取領域に置けばよい。
したがって、階層構造による情報提供で求められていた基本操作を要せずに検索条件を指定することができる。これにより、アクセシビリティが向上して階層構造による情報提供を十分に利用できなかった高齢者や子供等でも容易に情報検索の入力操作を行うことができ、さらには、高齢者や子供等に対象を特定せず、誰にでも容易に操作をすることができるユニバーサルデザインを指向する入力インターフェースとしても利用することができる。
【発明を実施するための最良の形態】
【００１９】
＜構成＞
以下、図面を参照しつつ本発明の実施の形態について説明する。図１及び図２は、本発明の一実施形態による情報入力装置を適用した婦人靴検索システムの構成を示した図であり、図１が外観構成を示し、図２が機能ブロック図で表したシステム構成を示している。
本婦人靴検索システムは、図示のようにサンプル１、操作プレート２、ＲＦＩＤリーダ３、レイアウト表示シート４、コンピュータ５、モニタ６及び商品検索台７を有し、婦人靴を販売する店舗において来店客に商品の靴に関する情報提供を行うものとなっており、本情報入力装置は、その情報提供における情報検索等で来店客が指定する事項を入力情報として受け付ける部分の構成に係る。サンプル１と操作プレート２は、それぞれ図１の外観中にあるように複数の物（有体物）が用意されており、同店舗内の所定箇所に設けられた商品検索台７上にＲＦＩＤリーダ３と共に置かれている。図２中のコンピュータ５は、商品検索台７の内部ないし背面側等にあり、図１の外観中には現れていない。
【００２０】
サンプル１は、本婦人靴検索システムでの情報検索において指定できる各検索条件を来店客に連想させるメタファ（隠喩）となる物に、ＲＦＩＤタグ（ないしＩＣ（integrated circuit）タグ）を付したものである。すなわち、サンプル１は、かかる各検索条件のメタファとなる物によって構成された検索条件指定用の見本であり、それぞれの検索条件を連想させる各物毎に予め当該各物を識別する識別情報のタグＩＤが割り当てられ、そのタグＩＤを記憶したＲＦＩＤタグが付されたもの（ＲＦＩＤタグが貼付、添付ないし内蔵等されたもの）となっている。本婦人靴検索システムは、このサンプル１の具体例として、図１中に示したようなサイズサンプル１０、材質サンプル１１、色サンプル１２及びスタイルサンプル１３を有している。商品検索台７には、図示のように“サイズサンプル”、“材質サンプル”、“色サンプル”、“スタイルサンプル”の文字が示された標示板が設けられており、それぞれの標示板がある所に置かれているサンプル１がサイズサンプル１０、材質サンプル１１、色サンプル１２、スタイルサンプル１３であることを示している。
【００２１】
サイズサンプル１０は、靴のサイズを表示したプレートであり、“21.5”、“23.0”、“23.5”、“24.0”、“24.5”、“25.0”、“22.5”及び“22.0”の８つ（21.5cm〜25.0cmの８サイズ）のサイズ表示プレートがサイズサンプル１０として用意されている。材質サンプル１１は、靴に用いられている実際の材質（材料）を張り付けたプレートであり、図１中上段からそれぞれエナメル、革、布が張り付けられた３つのプレートが材質サンプル１１として用意されている。色サンプル１２は、靴に施されている彩色の実際の色が着けられたプレートであり、それぞれ、黒（図１中の黒色塗り潰し）、ブラウン（密な右上がり斜線ハッチング）、ベージュ（疎らな右上がり斜線ハッチング）、ネイビーないし青（横線ハッチング）、白ないしアイボリー（白抜き）、紫（縦破線ハッチング）、赤（密な縦線ハッチング）、ピンク（疎らな縦線ハッチング）、黄ないしオレンジ（破線クロスハッチング）、緑（右下がり斜線ハッチング）、グレー（密な横破線ハッチング）、ゴールドないしメタリック（疎らな横破線ハッチング）の着色がなされた１２のプレートが色サンプル１２として用意されている。スタイルサンプル１３は、靴に採用されているスタイル（形）の模型であり、図１中上段からそれぞれショートブーツの形をした模型、ロングブーツの形をした模型、パンプスの形をした模型の３つの模型がスタイルサンプル１３として用意されている。これらのサイズサンプル１０のサイズ表示プレート、材質サンプル１１の材質を張り付けたプレート、色サンプル１２の色が着けられたプレート、スタイルサンプル１３の模型は、実際に触れることができる有体物であって、それぞれ靴のサイズ、材質、色、スタイルのメタファとなる物になっており、個々のプレート及び模型を識別するためのＲＦＩＤタグがそれぞれのプレートの裏面や模型の底面等の所定箇所に貼付されている。
【００２２】
操作プレート２は、本婦人靴検索システムに対して行うことができる各操作を来店客に連想させるメタファとなる物に、ＲＦＩＤタグ（ないしＩＣタグ）を付したものである。
すなわち、操作プレート２は、かかる各操作のメタファとなる物であって、それぞれの操作を連想させる各物毎に予め当該各物を識別する識別情報のタグＩＤが割り当てられ、そのタグＩＤを記憶したＲＦＩＤタグが付されたもの（ＲＦＩＤタグが貼付、添付ないし内蔵等されたもの）となっている。本婦人靴検索システムは、各操作のメタファとなる物として各操作の指示内容を示す所定の表示がなされたプレートを採用して操作プレート２を構成しており、その操作プレート２の具体例として、図１中に示したような３Ｄ映像操作プレート２０及び移動操作プレート２１を有している。商品検索台７には、図示のように“３Ｄ映像”、“移動”の文字が示された標示板が設けられており、それぞれの標示板がある所に置かれている操作プレート２が３Ｄ映像操作プレート２０、移動操作プレート２１であることを示している。
【００２３】
３Ｄ映像操作プレート２０としては、“表示”の文字が示された“表示”プレートと“回転停止”の文字及び図示の回転矢印が示された“回転停止”プレートが用意されている。移動操作プレート２１としては、“次へ”の文字及び三角形の右方向指示マークが示された“次へ”プレートと“前へ”の文字及び三角形の左方向指示マークが示された“前へ”プレートが用意されている。これらの“表示”プレート、“回転停止”プレート、“次へ”プレート、“前へ”プレートは、実際に触れることができる有体物であって、それぞれ表示、回転停止、次へ、前へといった操作のメタファとなる物になっており、個々のプレートを識別するためのＲＦＩＤタグがそれぞれの裏面等の所定箇所に貼付されている。
【００２４】
ＲＦＩＤリーダ３は、その上の読取領域に置かれたＲＦＩＤタグに記憶されている情報を読み取るＲＦＩＤの読取手段であり、コンピュータ５と接続されている。レイアウト表示シート４は、ＲＦＩＤリーダ３上に置かれた紙製等のシートであり、ＲＦＩＤリーダ３上に置く物の案内をする所定のレイアウト表示がなされている。
【００２５】
図３は、かかるレイアウト表示の一例として本婦人靴検索システムが採用する形態を表したレイアウト表示シート４を示した図である。レイアウト表示シート４はＲＦＩＤリーダ３上に置かれているので、来店客が商品検索台７の前に立ったときには、図３のレイアウト表示シート４をＲＦＩＤリーダ３の上面として見ることになる。そのレイアウト表示シート４には、図示のように“探したい靴のサンプル”と示された四角形状の枠が表示され、その枠内にそれぞれ“色”、“スタイルまたは靴”、“サイズ”、“材質”と示された四角形状の４つの枠が表示されている。これにより、上述した色サンプル１２、スタイルサンプル１３、サイズサンプル１０、材質サンプル１１をそれぞれ図中の破線矢印で示したように“色”、“スタイルまたは靴”、“サイズ”、“材質”の枠内に置くよう案内している。
【００２６】
ここで、スタイルサンプル１３を置く枠が“スタイル”ではなく“スタイルまたは靴”となっているのは、店舗内の商品陳列棚にある展示靴もＲＦＩＤリーダ３上に置く物として取り扱うことを示している。すなわち、本婦人靴検索システムにおいては、店舗内の各展示靴に対し、予め当該各展示靴を識別する識別情報のタグＩＤを割り当て、そのタグＩＤを記憶したＲＦＩＤタグ（ないしＩＣタグ）を貼付しておくことにより、展示靴もＲＦＩＤタグが貼付された検索条件指定用の見本として利用する。このようなことから、レイアウト表示シート４は、“スタイルまたは靴”との表示によってＲＦＩＤリーダ３上には商品陳列棚にある展示靴を置いてもよいことを案内している。
【００２７】
また、レイアウト表示シート４には、“探したい靴のサンプル”の枠の下に“操作”と示された四角形状の枠が表示され、その枠内にそれぞれ“３Ｄ映像”、“移動”と示された四角形状の２つの枠が表示されている。これにより、上述した３Ｄ映像操作プレート２０、移動操作プレート２１をそれぞれ図中の破線矢印で示したように“３Ｄ映像”、“移動”の枠内に置くよう案内している。
【００２８】
このような案内をするレイアウト表示シート４は、さらに、図中の点線で示したように“サイズ”、“３Ｄ映像”、“移動”の枠の表示がそれぞれサイズサンプル１０、３Ｄ映像操作プレート２０、移動操作プレート２１と同色になっている。例えば、“サイズ”の枠内エリアの色とサイズサンプル１０のプレートの色を共に黄色とし、“３Ｄ映像”の枠内エリアの色と３Ｄ映像操作プレート２０のプレートの色を共に青色とし、“移動”の枠内エリアの色と移動操作プレート２１のプレートの色を共に緑色としてある（この配色は一例に過ぎず、ハッチング表示等は煩雑にもなるので図示はしていない。以下の図面におけるレイアウト表示シート４にも特に図示はしないが、“サイズ”、“３Ｄ映像”、“移動”の枠内はそれぞれサイズサンプル１０、３Ｄ映像操作プレート２０、移動操作プレート２１と同色である。）。このようにして枠の表示色をそこに置く物の色と対応させることにより、レイアウト表示シート４は、ＲＦＩＤリーダ３上に置く物がより容易に分かるように案内をするものとなっている。
【００２９】
ＲＦＩＤリーダ３上には、レイアウト表示シート４の上記案内により、図２中左側に示したように色サンプル１２等のサンプル１、３Ｄ映像操作プレート２０等の操作プレート２及び展示靴（図２中に示した縦線ハッチングの靴は、展示靴を例示した赤色のパンプスであり、白抜きの四角形がＲＦＩＤタグを表している。）等が置かれることになり、それらの置かれた物に貼付されたＲＦＩＤタグの情報であるタグＩＤがＲＦＩＤリーダ３によって読み取られる。図２においては、その読取動作等に関する信号の流れが併せて示してあり、ＲＦＩＤリーダ３は、コンピュータ５と所定の信号授受を行いつつＲＦＩＤタグのタグＩＤを読み取るものとなっている。
【００３０】
コンピュータ５は、本婦人靴検索システムによる情報提供を実施するためのプログラムがインストールされているパーソナル・コンピュータ等の電子計算機であり、タグＩＤ読取部５ａ、アプリ部５ｂ及び記憶部５ｃを有し、モニタ６と接続されている。ここにいうプログラムは、本婦人靴検索システムによる情報提供に係る処理動作の全般を規定したものであるが、そのプログラム中の入力情報の受付に係る処理動作を規定した部分は、本情報入力装置で実施する情報入力方法を実現するための情報入力プログラムに相当する。
【００３１】
タグＩＤ読取部５ａは、ＲＦＩＤリーダ３の読取動作を制御してコンピュータ５での処理に供し得るタグＩＤを取得するタグＩＤの読取機能ブロックであり、ＲＦＩＤリーダ３との接続インターフェースやＣＰＵ、ＲＯＭ及びＲＡＭ等の前記プログラムによる動作機能等によって構成される。具体的には、タグＩＤ読取部５ａは、ＲＦＩＤリーダ３に対してＲＦＩＤタグのタグＩＤを読み取らせるタグ読取コマンドを送信し（図２中の“（１）タグ読取コマンド”）、ＲＦＩＤリーダ３から読み取ったタグＩＤ群を受信し（“（２）読み取ったタグＩＤ群”）、アプリ部５ｂに対してタグＩＤ群を供給する（“（３）タグＩＤ群”）。すなわち、タグＩＤ読取部５ａがタグ読取コマンドを発すると、ＲＦＩＤリーダ３は、その時に置かれている物のそれぞれのタグＩＤを読み取り、それらのタグＩＤを読み取ったタグＩＤ群としてタグＩＤ読取部５ａに送信し、タグＩＤ読取部５ａからアプリ部５ｂにタグＩＤ群を供給する。タグＩＤ読取部５ａは、これらの動作（“（１）タグ読取コマンド”、“（２）読み取ったタグＩＤ群”及び“（３）タグＩＤ群”の授受動作）を定期的に（例えば１秒間隔等で）繰り返し実行するものとなっており、その所定の実行時間間隔でＲＦＩＤリーダ３上にある物のタグＩＤが随時読み取られてアプリ部５ｂに供給される。
【００３２】
ここで、アプリ部５ｂに供給するタグＩＤ群（“（３）タグＩＤ群”）の形式は、‘タグＩＤ，タグＩＤ，…，ダミータグＩＤ’とし、１回に読み取られたタグＩＤ群の区切りを示す所定のダミータグＩＤを付加したものとする。このため、タグＩＤ読取部５ａは、順次発するそれぞれのタグ読取コマンドに対するＲＦＩＤリーダ３からのタグＩＤ群につき、それぞれの最後にダミータグＩＤを付与してアプリ部５ｂに供給するものとなっており、タグ読取コマンドに対するＲＦＩＤリーダ３からのタグＩＤ群がない場合（ＲＦＩＤリーダ３で読み取ったタグＩＤがない場合）には、ダミータグＩＤのみをアプリ部５ｂに供給する。ダミータグＩＤにどのような値を利用するかは、予めタグＩＤ読取部５ａに係る設定ファイル等により設定しておくものとし、サンプル１、操作プレート２及び展示靴に割り当てるような通常のタグＩＤとは重複しない値（例えばオールＦの文字列等）を設定する。
【００３３】
アプリ部５ｂは、読み取られたタグＩＤと記憶部５ｃ中の情報に基づいてモニタ６の表示制御等を行うアプリケーション・プログラムの実行処理部であり、モニタ６との接続インターフェースやＣＰＵ、ＲＯＭ及びＲＡＭ等の前記プログラムによる動作機能等によって構成される（前記プログラムは当該アプリケーション・プログラムも含む。）。アプリ部５ｂでは、上述のようなダミータグＩＤが付加されたタグＩＤ群がタグＩＤ読取部５ａから供給されるので、順次供給されてくるタグＩＤ中のダミータグＩＤにより、ＲＦＩＤリーダ３が１回の読取動作毎に読み取ったタグＩＤ群の終了を判断することができ、各回の読取動作で読み取られた各タグＩＤ群を把握することができる。これにより、アプリ部５ｂは、タグＩＤ読取部５ａから受信されるタグＩＤ群毎に、そのタグＩＤ群を読み取られたタグＩＤとして当該アプリケーション・プログラムによる処理を実行し、モニタ６の表示を制御する（図２中の“（３）タグＩＤ群”を基に表示の変更等を指示する“（４）モニタ表示”の信号をモニタ６に送る。）。当該アプリケーション・プログラムによってアプリ部５ｂが行う処理の具体的内容については後述の動作説明で明らかにするが、前記プログラムによる処理は、本婦人靴検索システムによる情報提供に係る処理の全般なので、この＜構成＞の説明中と後述の動作説明においてしてあるコンピュータ５での処理に関する全説明の通りである。
【００３４】
記憶部５ｃは、コンピュータ５にインストールされたプログラムのファイルやそのプログラムによって取り扱われる種々の情報のデータ・ファイル等が格納されている記憶手段であり、ハードディスク等の記憶装置によって構成される。前記プログラムのプログラム・ファイルも記憶部５ｃに格納されているが、そのうちの当該アプリケーション・プログラムによって取り扱われるデータ・ファイルとして、記憶部５ｃには、各タグＩＤと当該各タグＩＤが割り当てられた物に関する情報との対応関係を表したタグＩＤテーブルや商品の靴に関する情報のデータベース等のファイルが予め記憶されている。
【００３５】
図４は、そのタグＩＤテーブル等のレコード構造を示した図である。図４中、上段のタグＩＤテーブルと中段の属性毎のテーブルは、サンプル１、操作プレート２及び展示靴に関する情報管理用のテーブルであり、下段の商品ＤＢ及び商品コードＤＢは、商品（在庫にある靴等）に関する情報管理用のデータベースである。
【００３６】
タグＩＤテーブルは、それぞれのタグＩＤ毎に対応する種別、属性及び属性内ＩＤが記憶されたものとなっており、下線を付したタグＩＤをキーとして参照される。ここで、種別は、そのタグＩＤが割り当てられた物がサンプル１、操作プレート２及び展示靴のうちのいずれであるかを示す情報であり、サンプル１であれば‘サンプル’、操作プレート２であれば‘操作’、展示靴であれば‘展示靴’として表すものとなっている。属性は、そのタグＩＤが割り当てられた物がサンプル１のうちのいずれであるか等を示す情報、すなわち、スタイルサンプル１３、色サンプル１２、材質サンプル１１及びサイズサンプル１０のうちのいずれであるか、３Ｄ映像操作プレート２０及び移動操作プレート２１のうちのいずれであるか、あるいは、展示靴であるか、を示す情報であり、スタイルサンプル１３であれば‘スタイル’、色サンプル１２であれば‘色’、材質サンプル１１であれば‘材質’、サイズサンプル１０であれば‘サイズ’、３Ｄ映像操作プレート２０であれば‘３Ｄ映像’、移動操作プレート２１であれば‘移動’、展示靴であれば‘商品コード’として表すものとなっている（展示靴の属性を‘商品コード’とするのは、個々の展示靴に特有な情報の項目が商品コードだからである。したがって、属性としての‘商品コード’は、具体的なコード情報ではなく、「商品コード」という項目名自体を示す。）。属性内ＩＤは、そのタグＩＤが割り当てられた物が該当する属性の中でユニークな任意のＩＤである。各属性に含まれる個々の物に対しては、当該各属性内において他の物と識別するＩＤが属性内ＩＤとして予め割り当てられており、その属性内ＩＤが個々の物のタグＩＤに対応する属性内ＩＤとして予め記憶されている。
【００３７】
属性毎のテーブルは、かかる属性内ＩＤ毎に、対応する個々の物に係る情報が記憶されたものである（属性毎のテーブルは、右下に示した共通のレコード構造になっており、属性内ＩＤをキーとして各情報を示す値を参照する。）。サンプルの各属性については、スタイルのそれぞれの属性内ＩＤに対応する“パンプス”等を示す値が記憶されたスタイルテーブル、色のそれぞれの属性内ＩＤに対応する“赤”等を示す値が記憶された色テーブル、材質のそれぞれの属性内ＩＤに対応する“革”等を示す値が記憶された材質テーブル、及びサイズのそれぞれの属性内ＩＤに対応する“23.5”等を示す値が記憶されたサイズテーブルがある。すなわち、サンプルの各属性においては、それぞれの属性内ＩＤが対応する個々の物に係る情報として、その物がメタファとなっていて指定する具体的な個々の検索条件が記憶されている。
【００３８】
操作の各属性については、３Ｄ映像のそれぞれの属性内ＩＤに対応する“表示”等を示す値が記憶された３Ｄ映像テーブル、及び移動のそれぞれの属性内ＩＤに対応する“次へ”等を示す値が記憶された移動テーブルがある。すなわち、操作の各属性においては、それぞれの属性内ＩＤが対応する個々の物に係る情報として、その物がメタファとなっていて指定する具体的な個々の操作が記憶されている。
【００３９】
展示靴の属性である商品コードについては、それぞれの属性内ＩＤに対応する“商品コード”を示す値が記憶された商品コードテーブルがある。この商品コードテーブル中の各“商品コード”は、各商品を特定する具体的なコード情報である。
【００４０】
商品ＤＢは、在庫の商品を管理するデータベースであって、在庫棚にある商品用の各靴に対し、それぞれを識別するタグＩＤを割り当ててＲＦＩＤタグ（ないしＩＣタグ）を貼付等により付け、それぞれのタグＩＤと商品コードを対応させて記憶したものとなっており、下線を付したタグＩＤをキーとして参照される。したがって、タグＩＤは、サンプル１、操作プレート２及び展示靴のそれぞれを識別するのみならず、それらに在庫の靴も含めてそれぞれを識別する情報として使用することになる。このため、それぞれのタグＩＤとしては、サンプル１、操作プレート２及び展示靴並びに商品用の在庫靴の全体の中でユニークとなるＩＤを予め割り当てるようにする。
【００４１】
商品コードＤＢは、靴の商品コードと、商品名、スタイル、色、材質、サイズ、価格、静止画像ファイル名及び３Ｄ映像ファイル名とを対応させて記憶したデータベースであって、本婦人靴検索システムにおいて検索対象とする靴の各商品コード（店舗で取り扱っているすべての靴の商品コード等）について、それらの対応する各情報を保持しており、下線を付した商品コードをキーとして参照される。ここで、商品名については、デザインが同じである靴には同じ商品名が付与されるものとなっている。また、商品名が同じである靴は、スタイルと材質も同じである。ただし、商品名が同じであっても、色、サイズは異なる靴がある。
【００４２】
図２中の記憶部５ｃには、以上のようなタグＩＤテーブル、属性毎のテーブル、商品ＤＢ及び商品コードＤＢが記憶されており、商品コードＤＢ中の各商品コードに対応する静止画像ファイル名及び３Ｄ映像ファイル名の静止画像ファイル及び３Ｄ映像ファイルも記憶されている。これらの情報が当該アプリケーション・プログラムを実行するアプリ部５ｂの処理で利用され、モニタ６の表示が制御される。
【００４３】
モニタ６は、そのアプリ部５ｂによる制御の下で画面上に所定の情報表示をする液晶ディスプレイやプラズマディスプレイ等の表示手段である。図１においては、このモニタ６の情報表示における初期画面が示してあり、以下の動作説明で述べるアプリ部５ｂの処理によって画面の遷移ないし更新等がなされ、本婦人靴検索システムによる情報提供のための所定の情報表示が行われる。
【００４４】
＜動作＞
次に、上記構成による動作について説明する。図５〜図１０は、読み取られたタグＩＤと記憶部５ｃ中の情報（上記タグＩＤテーブル、属性毎のテーブル、商品ＤＢ、商品コードＤＢ、静止画像ファイル及び３Ｄ映像ファイル等）に基づき、アプリ部５ｂがモニタ６の表示制御等を行う処理の手順を示したフローチャートである。本婦人靴検索システムは、このアプリ部５ｂの処理動作を主体として以下のように商品の靴に関する情報提供を実施する。
【００４５】
処理を開始した当初のアプリ部５ｂは、まず、モニタ６に初期画面を表示させる（図５中のステップＳ1）。初期画面は、図１におけるモニタ６の画面中にあるように“靴もしくはお探しの靴のサンプルを台の上に置いてください。”との案内表示がなされている画面である。本婦人靴検索システムを利用しようとするユーザの来店客に対しては、この案内表示と上述したレイアウト表示シート４の案内によってサンプル１等の物をＲＦＩＤリーダ３上に置くよう促されるが、まだ何もＲＦＩＤリーダ３上に置かれていない当初の初期画面では、図１中にあるように“・スタイルは何にしますか？”、“・色は何にしますか？”、“・材質は何にしますか？”及び“・サイズは何ｃｍでしょうか？”との表示も行い、これによってサンプル１のスタイルサンプル１３等を置くよう促している。
【００４６】
アプリ部５ｂは、続いてタグＩＤ読取部５ａからタグＩＤ群を受信し（ステップＳ2）、そのタグＩＤ群がダミータグＩＤのみであるか否かを判断する（ステップＳ3）。ＲＦＩＤタグが貼付された物がＲＦＩＤリーダ３上に何も置かれていないときは、読み取られるタグＩＤがないので、上述したようにタグＩＤ読取部５ａからはダミータグＩＤのみが供給される。したがって、アプリ部５ｂは、受信したタグＩＤ群がダミータグＩＤのみであるか否かを判断することにより、ＲＦＩＤリーダ３が何も置かれていない状態であるか否か（換言すれば、サンプル１等の何らかの物が置かれているか否か）を監視している。
これにより、タグＩＤ群がダミータグＩＤのみである場合には、モニタ６の表示は当初の初期画面とし（既に当初の初期画面が表示されているのであれば、その画面表示を維持し）、再びタグＩＤ読取部５ａからタグＩＤ群を受信して同様の判断を繰り返す（ステップＳ3での判断結果が“YES”の場合にはステップＳ4に進み、再びステップＳ2に戻ってステップＳ3へと進む。）。処理の開始当初で未だ何もＲＦＩＤリーダ３上に置かれていないうちは、アプリ部５ｂが順次受信するタグＩＤ群をダミータグＩＤのみと判断し続け、モニタ６では当初の初期画面の表示が維持される（ステップＳ3での判断結果が“YES”のままでステップＳ2、Ｓ3及びＳ4の処理が繰り返される。）。
【００４７】
今、来店客Ｘがサンプル１等の何らかの物をＲＦＩＤリーダ３上に置いたとすると、そのタグＩＤが読み取られてタグＩＤ読取部５ａからダミータグＩＤのみでないタグＩＤ群がアプリ部５ｂに供給される。これにより、アプリ部５ｂは、受信したタグＩＤ群がダミータグＩＤのみでないと判断し（ステップＳ3での判断結果が“NO”となり）、そのタグＩＤ群が前回受信したタグＩＤ群と同一であるか否かを判断する（ステップＳ5）。
【００４８】
受信したタグＩＤ群が前回受信したタグＩＤ群と同一であるということは、ＲＦＩＤリーダ３上に置かれている物が前回のタグＩＤ群受信時と変わっていないということであり、同一でないということは、何らかの物が新たに置かれたり取り去られたりしたということである。したがって、アプリ部５ｂは、受信したタグＩＤ群が前回のタグＩＤ群と同一であるか否か、すなわち、タグＩＤ群に差分が発生したか否かを判断することにより、ＲＦＩＤリーダ３上の物の変動を監視している。これにより、アプリ部５ｂは、受信したタグＩＤ群が前回のタグＩＤ群と同一でない場合（ステップＳ5での判断結果が“NO”である場合）には、その差分のタグＩＤ群等を基に現在の画面（システム）の状態毎の処理を実施し（ステップＳ6）、同一である場合（ステップＳ5での判断結果が“YES”である場合）には、タグＩＤ群を受信する上記ステップＳ2の処理へと戻り、前回と同一のタグＩＤ群についての処理を重ねて行うことはしない。現時点では、前回までのタグＩＤ群がダミータグＩＤのみだったので、今回のタグＩＤ群は前回のタグＩＤ群と同一でないと判断され、アプリ部５ｂは、現在の画面（システム）の状態毎の処理を実施する（ステップＳ5での判断結果が“NO”となってステップＳ6に進む。）。
【００４９】
現在の画面（システム）の状態毎の処理とは、本婦人靴検索システムの動作状態を表象するモニタ６の画面表示の各状態に応じた処理であり、上述のようにタグＩＤ群に差分が生じたときに図５中のステップＳ6で実施される（以下、このステップＳ6で実施する処理を「現画面状態毎の処理」という。）。図６〜図１０のフローチャートは、その現画面状態毎の処理の手順を示したものとなっている。アプリ部５ｂは、これら図６〜図１０の手順により、図５中のステップＳ6に至った時点でのモニタ６の画面表示状態に応じた処理を実行する。
【００５０】
現画面状態毎の処理では、まず、モニタ６が初期画面の表示状態であるか否かを判断する（図６中のステップＳ10。モニタ６の表示はアプリ部５ｂが制御しているので、モニタ６で如何なる画面が表示されているかはアプリ部５ｂで判断することができる。）。現時点では、モニタ６の表示は当初の初期画面のままなので、アプリ部５ｂは、モニタ６が初期画面の表示状態であると判断し（ステップＳ10での判断結果が“YES”となり）、次いで種別が展示靴のタグＩＤがあるか否かを判断する（ステップＳ11）。
【００５１】
初期画面においては、“靴もしくはお探しの靴のサンプルを台の上に置いてください。”との案内表示にあるように、ＲＦＩＤリーダ３上に展示靴かサンプル１のいずれかが置かれることが予定されている。そこで、上記来店客Ｘが置いた物がサンプル１中のいずれかであったとすると、アプリ部５ｂは、そのタグＩＤが対応するタグＩＤテーブル中の種別を参照し、それがサンプルであることから展示靴のタグＩＤはないものと判断し（ステップＳ11での判断結果は“NO”となり）、次いで種別がサンプルのタグＩＤがあるか否かを判断する（ステップＳ12）。サンプルのタグＩＤがある場合（ステップＳ12での判断結果が“YES”の場合）には、そのタグＩＤが対応するタグＩＤテーブル中の属性及び属性内ＩＤに基づいて属性毎のテーブルから値を読み出す（ステップＳ13）。したがって、来店客Ｘが置いたサンプル１中の物により、アプリ部５ｂは、サンプルのタグＩＤがあると判断して対応属性のテーブルから値を読み出す。なお、種別がサンプルのタグＩＤがない場合（ステップＳ12での判断結果が“NO”である場合）には、初期画面の表示状態とは無関係な展示靴やサンプル１でない物が置かれたことになるので、アプリ部５ｂは特に処理を行わずにそのまま現画面状態毎の処理を終了し、図５中でのステップＳ6からステップＳ2の処理へと戻る。
【００５２】
属性毎のテーブルから値を読み出したアプリ部５ｂは、スタイル、色、材質及びサイズの全属性が揃っているか否か、すなわち、これらの全属性についてそれぞれ１つ以上の値が読み出されているか否かを判断する（ステップＳ14）。ＲＦＩＤリーダ３上に置かれたサンプル１中の物については、上記ステップＳ13の処理によって属性毎のテーブルから値が読み出されているので、このアプリ部５ｂの判断により、スタイルサンプル１３、色サンプル１２、材質サンプル１１及びサイズサンプル１０のそれぞれのうちから少なくとも１つ以上の物が現時点でＲＦＩＤリーダ３上に置かれているか否かが判断される。来店客Ｘがサンプル１中の全属性に係る物を未だ置いていないとすると、アプリ部５ｂは、全属性が揃っていないと判断し（ステップＳ14での判断結果が“NO”となり）、既に読み出されている値から属性値が指定された初期画面をモニタ６に表示させる（ステップＳ15）。
【００５３】
ここにいう属性値が指定された初期画面とは、例えば色が赤である等、既に読み出されている値が含まれる属性（スタイル、色、材質ないしサイズ）について、その値が示す個々の物に係る情報（パンプス、赤、革ないし23.5等）が表示された画面である。図１１は、パンプスのスタイルサンプル１３、赤の色サンプル１２、エナメルの材質サンプル１１及び23.0cmのサイズサンプル１０がＲＦＩＤリーダ３上に置かれ、それぞれについて値が読み出されてモニタ６に属性値が指定された初期画面が表示されている様子を示した図である。それぞれの置かれた物に対応して“・スタイル  パンプス”、“・色  赤”と赤の色サンプル１２の画像、“・材質  エナメル”及び“・サイズ  23.0”の表示がなされており、来店客がＲＦＩＤリーダ３上に置いたサンプル１が画面に反映されることになる。
ただし、属性値が指定された初期画面は、全属性が揃っていないとき（ステップＳ14での判断結果が“NO”のとき）になされるので、図示のように全属性について属性値が指定された初期画面は通常は表示されない（説明の便宜上の例示である。全属性が揃うと後述の処理によってモニタ６の表示は変更される。しかし、その変更の直前まで図示のような表示をすることは可能である。）。サンプル１中の物が何も置かれていない属性については、上記当初の初期画面中にあるような表示を行うこととし、例えば、パンプスのスタイルサンプル１３と23.0cmのサイズサンプル１０だけがＲＦＩＤリーダ３上に置かれている場合では、“・スタイル  パンプス”、“・色は何にしますか？”、“・材質は何にしますか？”及び“・サイズ  23.0”のような表示を属性値が指定された初期画面としてモニタ６に表示させる。
【００５４】
アプリ部５ｂは、このような初期画面をモニタ６に表示させると現画面状態毎の処理を終了し、図５中でのステップＳ6からステップＳ2の処理へと戻り、ＲＦＩＤリーダ３上に全属性のサンプル１が置かれるまで上記ステップＳ1〜Ｓ6及びＳ10〜Ｓ15の処理を繰り返す（ステップＳ10〜Ｓ15の処理は、来店客Ｘがサンプル１のいずれかを新たに置いたり取り去ったりした時に行われ、すべての物を取り去った時には、ステップＳ4の処理によって当初の初期画面に戻る。）。そして、来店客ＸがＲＦＩＤリーダ３上に全属性のサンプル１を置いた時に、アプリ部５ｂは、全属性についての値を読み出して全属性が揃っているものと判断し（ステップＳ14での判断結果が“YES”となり）、読み出した値に基づいて商品コードＤＢの検索を行う（ステップＳ16）。
【００５５】
商品コードＤＢの検索では、読み出した値を検索条件とする。すなわち、ＲＦＩＤリーダ３上に置かれたサンプル１について、属性毎のテーブルから読み出される値は、上述したようにその物がメタファとなっていて指定するスタイル、色、材質及びサイズといった検索条件であって、商品コードＤＢが各商品コードに対応する情報として同じくスタイル、色、材質及びサイズを保持し、それらの検索条件が現に商品コードＤＢの検索において指定できる検索条件になっている。これにより、アプリ部５ｂは、全属性についての読み出した値につき、異なる属性間の値はａｎｄで連結し、同一属性内の値はｏｒで連結して、商品コードＤＢを検索する検索条件とする。本婦人靴検索システムでは、ＲＦＩＤリーダ３上に置くサンプル１の数を特に制限しないので、同一属性について複数の物が置かれる場合も想定し、同一属性内の値はｏｒで連結することとしている。例えば、パンプスのスタイルサンプル１３、赤と黒の色サンプル１２、革の材質サンプル１１及び23.5cmのサイズサンプル１０がＲＦＩＤリーダ３上に置かれた場合には、検索条件は“パンプスａｎｄ（赤ｏｒ黒）ａｎｄ革ａｎｄ23.5”となり、サンプル１における各属性間はａｎｄ条件で検索し、各属性内に複数のサンプルがあればそれらはｏｒ条件で検索する。アプリ部５ｂは、このような検索条件により商品コードＤＢを検索し、検索条件に該当する商品コードを特定する（ステップＳ16）。
【００５６】
続いてアプリ部５ｂは、特定した商品コードで商品ＤＢを検索し、該当するタグＩＤが１つ以上存在する商品コードについては、商品コードＤＢを参照し、検索結果画面に該当する情報を表示する（ステップＳ17）。検索結果画面は、ＲＦＩＤリーダ３上に置かれた物を上述のように検索条件として特定した商品コードの靴のうち、店舗内に商品として在庫がある靴に関する情報を表示する画面である。すなわち、特定した商品コードのうち、該当するタグＩＤが商品ＤＢに１つ以上存在する商品コードについては、その商品コードの靴が在庫棚にあるということなので、アプリ部５ｂは、その商品コードに対応する商品コードＤＢ中の各情報を検索結果画面における情報として、モニタ６の表示を初期画面から検索結果画面に変更する。
【００５７】
例えば、図１２中の左側に示したように、来店客Ｘがパンプスのスタイルサンプル１３、赤の色サンプル１２、エナメルの材質サンプル１１及び23.0cmのサイズサンプル１０を置いたとすると、上記ステップＳ16及びＳ17の処理により、スタイルがパンプス、かつ、色が赤、かつ、材質がエナメル、かつ、サイズが23.0cmの検索条件に該当する商品コードの検索等が行われ、同図中右側に示した検索結果画面がモニタ６に表示される。この検索結果画面に示してあるように、検索条件に合致する在庫の各靴に関する情報としては、当該各靴の静止画像（静止画像ファイルの写真等）、商品名、商品コード、カラー、サイズ及び税込価格等が商品コードＤＢ中の情報に基づいて表示される。このようにして４つの属性のサンプル１が揃った時点で条件に合った靴が検索されて結果が表示され、来店客Ｘは、自身が置いたスタイル、色、材質及びサイズの条件に合致する靴の情報を見ることができる。
【００５８】
また、検索結果画面では、図示のように“下記の商品が店舗にございます。”の案内表示、太線で示した選択枠、及び“１アイテム目／全８アイテム”の文字表示等もなされる。選択枠は、より詳細な３Ｄ映像を（後述の処理により）表示させる靴として選択されているアイテムを示す選択指示用の枠であり、アイテム枠とは異なる色（例えばアイテム枠を黒、選択枠を赤）等にして選択されている靴を明示する。“１アイテム目／全８アイテム”の文字表示は、前段の“１アイテム目”が選択枠で選択されているアイテム、後段の“全８アイテム”が検索条件に該当したアイテムの総数を示している（したがって、図示の文字表示は、検索条件に合致した靴が全部で８足あり、そのうちで表示されている３足中の左端の靴が選択されていることを表している。）。
【００５９】
アプリ部５ｂは、このような検索結果画面をモニタ６に表示させると現画面状態毎の処理を終了し、図５中でのステップＳ6からステップＳ2の処理へと戻る。そして、ステップＳ2、Ｓ3及びＳ5の処理を上記同様に行い、タグＩＤ群に差分が生じるまでは現画面状態毎の処理を行わず、検索結果画面の表示を維持する。
【００６０】
ここで、上述の例のようにサンプル１を置いた来店客Ｘが図１３中の左側に示したように移動操作プレート２１の“次へ”プレートを置いたとする。すると、そのタグＩＤによりタグＩＤ群に差分が生じてアプリ部５ｂが現画面状態毎の処理を開始する。この時、モニタ６には検索結果画面が表示されているので、アプリ部５ｂは、モニタ６が初期画面の表示状態でないと判断し（ステップＳ10での判断結果が“NO”となり）、次いで検索結果画面の表示状態か否かを判断し（ステップＳ18）、その表示状態であると判断する（ステップＳ18での判断結果が“YES”となる。）。
【００６１】
検索結果画面の表示状態であると判断したアプリ部５ｂは、種別がサンプルの差分タグＩＤがあるか否か、すなわち、受信したタグＩＤ群と前回のタグＩＤ群との差分のタグＩＤについて、種別がサンプルのタグＩＤがあるか否かを判断する（ステップＳ19）。サンプルの差分タグＩＤがない場合（ステップＳ19での判断結果が“NO”の場合）、アプリ部５ｂは、差分のタグＩＤについて、種別が操作のタグＩＤがあるか否かを判断する（ステップＳ20）。したがって、来店客Ｘが置いた移動操作プレート２１の“次へ”プレートにより、アプリ部５ｂは、そのタグＩＤテーブル中の種別が操作であることからサンプルの差分タグＩＤはないと判断し、操作の差分タグＩＤがあると判断する。なお、操作の差分タグＩＤもない場合（ステップＳ20での判断結果が“NO”の場合）には、検索結果画面の表示状態とは無関係な物が置かれたことになるので、アプリ部５ｂは特に処理を行わずにそのまま現画面状態毎の処理を終了し、図５中でのステップＳ6からステップＳ2の処理へと戻る。
【００６２】
アプリ部５ｂは、このように操作の差分タグＩＤの有無を判断することにより、検索結果画面の表示中に操作プレート２が置かれたり取り去られたりしたことを把握する（前回のタグＩＤ群に対し、置かれた操作プレート２は増加の差分タグＩＤ、取り去られた操作プレート２は減少の差分タグＩＤとなる。）。そして、その差分のタグＩＤが対応するタグＩＤテーブル中の属性及び属性内ＩＤに基づいて属性毎のテーブルから値を読み出し（ステップＳ21）、その時点で置かれている操作プレート２（前回から既に置かれていたものも含む。）のタグＩＤの属性と読み出した値に基づいて図７のフローチャートに示した“Ａ”以下の処理を行う。したがって、“Ａ”以下の処理は、検索結果画面の表示状態で操作プレート２が置かれたり取り去られたりした時に実行される処理である（ただし、“Ａ”の符号は、図６中と図７中の“Ａ”が連続していることを示す単なる符号であり、そこに何らかの処理ステップがあるというわけではない。図６及び図８〜図１０における“Ｂ”、“Ｃ”及び“Ｄ”も同様である。）。
【００６３】
来店客Ｘが“次へ”プレートを置いたことにより値を読み出したアプリ部５ｂは、そのタグＩＤの属性と読み出した値から属性が３Ｄ映像で値が“表示”のタグＩＤがあるか否かを判断する（ステップＳA1）。“次へ”プレートのタグＩＤは属性が移動で値が“次へ”なので、アプリ部５ｂは、属性が３Ｄ映像で値が“表示”のタグＩＤがないと判断する。このように３Ｄ映像で“表示”のタグＩＤがないと判断した場合（ステップＳA1での判断結果が“NO”の場合）、アプリ部５ｂは、種別が操作である他属性の移動のタグＩＤによって指定される操作に応じた処理を行う（ステップＳA2）。
【００６４】
具体的には、値が“次へ”のタグＩＤが１つだけある場合は、検索結果画面における選択枠を右へ１つ移動（１つ右隣に表示されているアイテムに移動）させる。ただし、選択枠が右端にあるときには、その時点では表示されていなかった次の３つの検索結果（検索条件に該当したアイテムの靴）を表示させ、左端のアイテムに選択枠を表示させる。値が“前へ”のタグＩＤが１つだけある場合は、選択枠を左へ１つ移動（１つ左隣に表示されているアイテムに移動）させる。ただし、選択枠が左端にあるときには、その時点では表示されていなかった前の３つの検索結果を表示させ、右端のアイテムに選択枠を表示させる。値が“次へ”のタグＩＤと“前へ”のタグＩＤの両方がある場合は、何もせず、選択枠の位置や表示アイテムはそのままにする。
【００６５】
これにより、来店客Ｘが置いた“次へ”プレートに対しては、１アイテム目にあった選択枠が図１３中の右側に示したように１つ右の２アイテム目に移動する。また、これに合わせて上段の文字表示も“２アイテム目／全８アイテム”に変更される。なお、検索結果画面の下段には、このような左右の選択枠移動と“前へ”及び“次へ”の対応を示す表示もなされている。
【００６６】
アプリ部５ｂは、このようにして検索結果画面における選択枠を移動させると現画面状態毎の処理を終了し、図５中でのステップＳ6からステップＳ2の処理へと戻る。そして、上記同様にタグＩＤ群に差分が生じるまでは現画面状態毎の処理を行わず、選択枠を移動させた検索結果画面の表示を維持する。これに対し、来店客Ｘが再び“次へ”プレートを置いた時には、上記同様に“Ａ”以下の処理を行い、選択枠を右へ１つ移動させる。来店客Ｘが“前へ”プレートを置いた時にも、上記同様に“Ａ”以下の処理を行うが、その時のステップＳA2では選択枠を左へ１つ移動させる。これにより、来店客Ｘは、より詳細な３Ｄ映像を（次に説明する処理により）表示させる靴を選択することができる。
【００６７】
一方、モニタ６が検索結果画面の表示状態であるときに３Ｄ映像操作プレート２０の“表示”プレートが置かれると、上述した“次へ”プレートが置かれた時と同様に種別が操作の差分タグＩＤがあることになるので、アプリ部５ｂは、そのタグＩＤが対応するタグＩＤテーブル中の属性及び属性内ＩＤに基づいて属性毎のテーブルから値を読み出し（ステップＳ21）、“Ａ”以下の処理を開始する。この場合、アプリ部５ｂは、属性が３Ｄ映像で値が“表示”のタグＩＤがあると判断し（ステップＳA1での判断結果が“YES”となり）、次いで属性が３Ｄ映像で値が“回転停止”のタグＩＤがあるか否かを判断する（ステップＳA3）が、そのタグＩＤはないと判断し（ステップＳA3での判断結果は“NO”となり）、モニタ６に選択枠の靴に該当する３Ｄ映像画面を表示させ、その３Ｄ映像を回転させる（ステップＳA4）。
【００６８】
したがって、来店客Ｘが上記図１３に示したように選択枠を検索結果画面中央の靴に合わせ、その靴の形等を３Ｄ映像でよく見てみたいと思ったときには、図１４中の左側に示したように３Ｄ映像操作プレート２０の“表示”プレートを置くと、同図中右側に示したように当該靴の３Ｄ映像がポップアップし、破線白抜矢印で示したように回転して表示される。これにより、来店客Ｘは、その靴についてのより詳細な映像を見ることができる。
アプリ部５ｂは、このようにしてモニタ６の画面表示を検索結果画面から３Ｄ映像が表示された画面（以下「３Ｄ画面」という。）に変更すると現画面状態毎の処理を終了し、図５中でのステップＳ6からステップＳ2の処理へと戻る。
【００６９】
ここで、来店客Ｘが“表示”プレートと同時に“回転停止”プレートを置いた場合にあっては、上記同様に“Ａ”以下の処理が開始されてステップＳA3に至るが、アプリ部５ｂは、属性が３Ｄ映像で値が“回転停止”のタグＩＤがあると判断する（ステップＳA3での判断結果が“YES”となる。）。この場合、アプリ部５ｂは、モニタ６に選択枠の靴に該当する３Ｄ映像画面を表示させて画面表示を３Ｄ画面にするが、その３Ｄ映像の回転はさせない（ステップＳA5）。その後、アプリ部５ｂは現画面状態毎の処理を終了し、図５中でのステップＳ6からステップＳ2の処理へと戻る。
【００７０】
３Ｄ画面の表示状態において、タグＩＤ群に差分が生じて現画面状態毎の処理が開始されると、アプリ部５ｂは、モニタ６が初期画面の表示状態でなく、検索結果画面の表示状態でもないと判断し（ステップＳ10及びＳ18での判断結果が共に“NO”となり）、図８のフローチャートに示した“Ｂ”以下の処理を行う。“Ｂ”以下の処理では、まず、モニタ６が３Ｄ画面の表示状態であるか否かを判断し（ステップＳB1）、３Ｄ画面の表示状態でない場合（ステップＳB1での判断結果が““NO”の場合）には、後述の“Ｄ”以下の処理を行うが、３Ｄ画面の表示状態である場合（ステップＳB1での判断結果が“YES”の場合）には、属性が３Ｄ映像であるタグＩＤの差分に応じた処理（３Ｄ映像のタグＩＤが増えたり減ったりしたことに伴う処理）を行う。
【００７１】
具体的には、アプリ部５ｂは、差分のタグＩＤについて属性毎のテーブルから読み出した値に基づき、“表示”のタグＩＤが減ったか否かを判断し（ステップＳB2）、減った場合（ステップＳB2での判断結果が“YES”の場合）には、モニタ６の画面表示を３Ｄ画面の前の検索結果画面に戻し（ステップＳB3）、減っていない場合（ステップＳB2での判断結果が“NO”の場合）には、“回転停止”のタグＩＤが増えたか否かを判断する（ステップＳB4）。“回転停止”のタグＩＤが増えた場合（ステップＳB4での判断結果が“YES”の場合）には、３Ｄ映像の回転を停止させ（ステップＳB5）、増えていない場合（ステップＳB4での判断結果が“NO”の場合）には、“回転停止”のタグＩＤが減ったか否かを判断する（ステップＳB6）。“回転停止”のタグＩＤが減った場合（ステップＳB6での判断結果が“YES”の場合）には、３Ｄ映像を回転させ（ステップＳB7）、減っていない場合（ステップＳB6での判断結果が“NO”の場合）には、３Ｄ画面の表示状態とは無関係な物が置かれたことになるので、そのまま現画面状態毎の処理を終了する。なお、モニタ６の画面表示を検索結果画面に戻したとき（ステップＳB3）、３Ｄ映像の回転を停止させたとき（ステップＳB5）、及び３Ｄ映像を回転させたとき（ステップＳB7）も現画面状態毎の処理を終了し、図５中でのステップＳ6からステップＳ2の処理へと戻る。
【００７２】
例えば、上記図１４に示したように“表示”プレートを置いて回転する３Ｄ映像が表示されている３Ｄ画面の表示状態に対し、来店客Ｘが３Ｄ映像の回転を止めてみたいと思ったとする。このとき、来店客Ｘが図１５中の左側に示したように３Ｄ映像操作プレート２０の“回転停止”プレートを置くと、その差分タグＩＤによって開始された現画面状態毎の処理において“Ｂ”以下の処理が開始され、アプリ部５ｂは、３Ｄ画面の表示状態であり、“表示”のタグＩＤが減っておらず、“回転停止”のタグＩＤが増えたと判断し（ステップＳB1での判断結果が“YES”、ステップＳB2での判断結果が“NO”、ステップＳB4での判断結果が“YES”となり）、３Ｄ映像の回転を停止させる（ステップＳB5）。これにより、同図中右側に示したように３Ｄ映像の回転が停止し、来店客Ｘが所望の映像を見ることができる（３Ｄ映像は“表示”プレートによって表示させたときにデフォルトで回転しており、“回転停止”プレートを置くことによって回転が停止する。）。
【００７３】
その後、来店客Ｘが図１６中の左側に示したように“回転停止”プレートを取り去ると、その差分タグＩＤによって開始された現画面状態毎の処理において“Ｂ”以下の処理が開始され、アプリ部５ｂは、３Ｄ画面の表示状態であり、“表示”のタグＩＤが減っておらず、“回転停止”のタグＩＤが増えておらず、“回転停止”のタグＩＤが減ったと判断し（ステップＳB1での判断結果が“YES”、ステップＳB2での判断結果が“NO”、ステップＳB4での判断結果が“NO”、ステップＳB6での判断結果が“YES”となり）、３Ｄ映像を回転させる（ステップＳB7）。これにより、同図中右側に示したように３Ｄ映像が回転し、一旦停止していた３Ｄ映像が再度回転して表示されることになる。
【００７４】
そして、来店客Ｘが図１７中の左側に示したように“表示”プレートを取り去ると、その差分タグＩＤによって開始された現画面状態毎の処理において“Ｂ”以下の処理が開始され、アプリ部５ｂは、３Ｄ画面の表示状態であり、“表示”のタグＩＤが減ったと判断し（ステップＳB1での判断結果が“YES”、ステップＳB2での判断結果が“YES”となり）、モニタ６の画面表示を検索結果画面に戻す（ステップＳB3）。これにより、３Ｄ映像を表示させる前と同様の同図中右側に示した検索結果画面（１つ前の画面）が再び表示される。
【００７５】
検索結果画面の表示状態では、以上のようにして３Ｄ映像の表示をさせることができるが、サンプル１を変更して異なる検索条件による検索結果画面を表示させることもできる。例えば、来店客Ｘが図１８中左側に破線で示したように色サンプル１２を赤から黒に変更し、材質サンプル１１をエナメルから革に変更したとする。すると、それらの変更から生じた種別がサンプルの差分タグＩＤによって現画面状態毎の処理が開始されるので、アプリ部５ｂは、初期画面の表示状態でなく、検索結果画面の表示状態であり、種別がサンプルの差分タグＩＤがあると判断する（ステップＳ10での判断結果が“NO”、ステップＳ18での判断結果が“YES”、ステップＳ19での判断結果が“YES”となる。）。
【００７６】
このように検索結果画面の表示状態でサンプルの差分タグＩＤがあると判断したアプリ部５ｂは、上記ステップＳ13の処理へと進み、属性毎のテーブルから値を読み出して後続のステップＳ14以下の処理を上記同様に行う。今、来店客Ｘが置いたサンプル１は変更後も全属性のものが揃っているので、ステップＳ14での判断結果は“YES”となり（もし揃っていなければ上記同様にステップＳ15の処理で属性値が指定された初期画面が表示されることになる。）、読み出した値に基づいて商品コードＤＢの検索を行う（ステップＳ16）。これにより、変更後の“パンプスａｎｄ黒ａｎｄ革ａｎｄ23.0”を検索条件として商品コードＤＢが検索され、検索条件に該当する商品コードが特定される。そして、特定された商品コードで商品ＤＢが検索され、該当するタグＩＤが１つ以上存在する商品コードについて商品コードＤＢが参照され、図１８中の右側に示したような検索結果画面（スタイルがパンプス、かつ、色が黒、かつ、材質が革、かつ、サイズが23.0cmの条件に合致する靴の情報が示された検索結果画面）が表示される（ステップＳ17）。
【００７７】
検索結果画面の表示状態では、このようにサンプル１を適宜変更して自由に商品の靴に関する情報検索を行うことができ、その変更後の検索結果画面においても上記同様に選択枠の移動や３Ｄ映像の表示を行うことができる。そして、図１９中の左側に示したように来店客ＸがＲＦＩＤリーダ３上からすべてのサンプル１を取り去ると、アプリ部５ｂが受信するタグＩＤ群が当初と同様にダミータグＩＤのみとなるので（ステップＳ3での判断結果が“YES”となり）、同図中右側に示したようにモニタ６の画面表示は当初の初期画面に戻る（ステップＳ4）。
【００７８】
次に、初期画面の表示状態で展示靴が置かれた場合、その差分タグＩＤによって開始された現画面状態毎の処理では、アプリ部５ｂは、初期画面の表示状態であると判断した後に種別が展示靴のタグＩＤがあると判断し（ステップＳ10、Ｓ11での判断結果が共に“YES”となり）、図９のフローチャートに示した“Ｃ”以下の処理を行う。
【００７９】
“Ｃ”以下の処理では、アプリ部５ｂは、まず、種別がサンプルのタグＩＤがあるか否かを判断する（ステップＳC1）が、展示靴（のみ）が置かれた場合では種別が展示靴のタグＩＤしかないので、サンプルのタグＩＤはないと判断し（ステップＳC1での判断結果は“NO”となり）、その種別が展示靴のタグＩＤに対応した商品コードを商品コードテーブルから読み出す（ステップＳC2）。そして、読み出した商品コードをキーとして商品コードＤＢを参照し、置かれた展示靴のタグＩＤが対応する商品コードの靴に関する情報を参照する（ステップＳC3）。
【００８０】
続いてアプリ部５ｂは、その読み出した商品コードで商品ＤＢを検索し、該当するタグＩＤが１つ以上存在するか否かを判断する（ステップＳC4）。該当するタグＩＤが商品ＤＢに１つ以上存在するということは、その読み出した商品コードの展示靴の在庫があるということであり、逆に、該当するタグＩＤがなければ在庫はないということである。したがって、アプリ部５ｂは、該当するタグＩＤが１つ以上存在する場合（ステップＳC4での判断結果が“YES”の場合）には、商品がある旨のメッセージと共に在庫確認画面をモニタ６に表示させ（ステップＳC5）、該当するタグＩＤが１つもない場合（ステップＳC4での判断結果が“NO”の場合）には、商品がない旨のメッセージと共に在庫確認画面をモニタ６に表示させる（ステップＳC6）。アプリ部５ｂは、これによって現画面状態毎の処理を終了し、図５中でのステップＳ6からステップＳ2の処理へと戻る。
【００８１】
ここで、在庫確認画面とは、在庫（商品ＤＢ）を検索した展示靴についての情報を在庫の有無と共に示した画面である。例えば、サンプル１をすべて取り去った上記来店客Ｘが図２０中の左側に示したように赤いパンプスの展示靴（白抜きの四角形が貼付されたＲＦＩＤタグであり、サイズが22.0cmで在庫がある靴とする。）を置いたとすると、その差分タグＩＤによって開始された現画面状態毎の処理で“Ｃ”以下の処理が上述のように行われ、同図中の右側に示したような在庫確認画面がモニタ６に表示される。この在庫確認画面中にあるように、展示靴についての情報としては、商品名、商品コード、色及びサイズ等が商品コードＤＢ中の情報に基づいて表示され、在庫の有無が“ご希望の商品がございます。  販売員へお申しつけください。”との商品がある旨のメッセージによって表示されており、来店客Ｘは、置いた展示靴の在庫の有無を確認することができる。
【００８２】
展示靴については、具体的な商品名が特定されている。そして、商品コードＤＢ中の情報については、上述したようにデザインが同じ靴には同じ商品名が付与され、商品名が同じ靴は、スタイルと材質も同じだが、色、サイズは異なる靴がある。したがって、展示靴が特定する商品名の靴のうちには、色違いやサイズ違いの靴がある。そこで、本婦人靴検索システムは、ＲＦＩＤリーダ３上に展示靴を置いて在庫確認画面が表示されたときに、その色違いやサイズ違いを検索するための検索条件を色サンプル１２やサイズサンプル１０で指定することを受け付け、展示靴の色やサイズを変更して在庫確認をすることができるようになっている。
【００８３】
すなわち、在庫確認画面の表示状態で色サンプル１２若しくはサイズサンプル１０又はこれらの双方がさらに置かれると、その差分タグＩＤによって開始された現画面状態毎の処理において、アプリ部５ｂは、初期画面の表示状態でなく、検索結果画面の表示状態でなく、３Ｄ画面の表示状態でないと判断し（ステップＳ10、Ｓ18及びＳB1の判断結果が共に“NO”となり）、“Ｄ”以下の処理を開始して在庫確認画面の表示状態であるか否かを判断する（ステップＳD1）。アプリ部５ｂは、ここで在庫確認画面の表示状態であると判断し（ステップＳD1での判断結果は“YES”となる。今は在庫確認画面の表示状態であることを想定しているが、初期画面、検索結果画面及び３Ｄ画面の表示状態のいずれでもない場合には、結果として在庫確認画面の表示状態となっていることになる。）、次いで種別が展示靴のタグＩＤがあるか否かを判断する（ステップＳD2）。展示靴は既に置かれているので、アプリ部５ｂは、展示靴のタグＩＤがあると判断し（ステップＳD2での判断結果は“YES”となり）、これによって“Ｃ”以下の処理を開始する。
【００８４】
この時の“Ｃ”以下の処理では、アプリ部５ｂは、さらに置かれた色サンプル１２等のタグＩＤの種別により、種別がサンプルのタグＩＤがあると判断する（ステップＳC1での判断結果が“YES”となる。）。すると、次いで属性が色又はサイズのタグＩＤがあるか否かを判断し（ステップＳC7）、その色サンプル１２等のタグＩＤの属性により、色又はサイズのタグＩＤがあると判断する（ステップＳC7での判断結果が“YES”となる。なお、色やサイズでない材質やスタイルのタグＩＤがあり、判断結果が“NO”となる場合には、そのタグＩＤは無視して上記同様にステップＳC2以下の処理を行う。）。
【００８５】
色又はサイズのタグＩＤがあると判断したアプリ部５ｂは、種別が展示靴のタグＩＤ（既に置かれている展示靴のタグＩＤ）に対応した商品コードを商品コードテーブルから読み出す（ステップＳC8）。そして、その商品コードに対応する商品コードＤＢ中の商品名、色のタグＩＤの属性内ＩＤが対応する色テーブル中の色、及びサイズのタグＩＤの属性内ＩＤが対応するサイズテーブル中のサイズにより、それらをａｎｄで連結した“商品名ａｎｄ色ａｎｄサイズ”を検索条件として商品コードＤＢを検索し、該当する商品コードを特定する（ステップＳC9）。これにより、検索条件の色、サイズについては、既に置かれていた展示靴の色、サイズを種別がサンプルのタグＩＤで指定された色、サイズに置き換えて商品コードＤＢを検索する。ただし、そのタグＩＤがない場合（色又はサイズのタグＩＤがない場合）には、先の商品コードＤＢで参照した元の値（展示靴が置かれて最初に“Ｃ”以下の処理を行ったときにステップＳC3で参照した値）を利用する。
【００８６】
このようにして商品コードを特定したアプリ部５ｂは、特定した商品コードをキーとして商品コードＤＢを参照し、検索条件を置き換えて該当した商品コードの靴に関する情報を参照する（ステップＳC10）。続いてアプリ部５ｂは、上記ステップＳC4の処理へと進み、上記同様の処理を行うが、ここでは検索条件を置き換えて該当した商品コードで商品ＤＢを検索し、該当するタグＩＤが１つ以上存在するか否かを判断する（ステップＳC4）。これにより、該当するタグＩＤが１つ以上存在する場合には、商品がある旨のメッセージと共に在庫確認画面をモニタ６に表示させ、該当するタグＩＤが１つもない場合には、商品がない旨のメッセージと共に在庫確認画面をモニタ６に表示させ（ステップＳC5及びＳC6）、現画面状態毎の処理を終了し、図５中でのステップＳ6からステップＳ2の処理へと戻る。
【００８７】
例えば、上記図２０に示したように展示靴を置き、在庫確認画面が表示された後に、来店客Ｘが「色は黒でサイズは23.0cmがいい」と思い、図２１中の左側に示したようにさらに黒の色サンプル１２と23.0cmのサイズサンプル１０を置いたとすると、その差分タグＩＤによって開始された現画面状態毎の処理で上記ステップＳC7〜ＳC10を経由する“Ｃ”以下の処理が行われ、同図中の右側に示したような在庫確認画面が表示される。この在庫確認画面においては、来店客Ｘが置いた展示靴の色とサイズをさらに置いた色サンプル１２とサイズサンプル１０によって変更したこと（赤から黒、22.0cmから23.0cmに変更したこと）が“色”枠内の“ブラック”側方の横三角形マークの表示と“サイズ”枠内の“23.0”の表示によって示され、その変更後の検索条件に合致する靴の在庫がある旨が上記同様のメッセージ表示によって示されている。
【００８８】
アプリ部５ｂは、展示靴が置かれたときには以上のような処理を行うが、置かれていた展示靴が取り去られた時には、その差分タグＩＤによって開始される現画面状態毎の処理において、初期画面の表示状態でなく、検索結果画面の表示状態でなく、３Ｄ画面の表示状態でないと判断し（ステップＳ10、Ｓ18及びＳB1の判断結果が共に“NO”となり）、“Ｄ”以下の処理を開始して在庫確認画面の表示状態であると判断し（ステップＳD1での判断結果が“YES”となり）、種別が展示靴のタグＩＤがないと判断する（ステップＳD2での判断結果が“NO”となる。）。すると、次いで種別がサンプルのタグＩＤがあるか否かを判断し（ステップＳD3）、サンプルのタグＩＤがない場合（ステップＳD3での判断結果が“NO”の場合）には、モニタ６の表示を当初の初期画面とする（ステップＳD4）。
【００８９】
すなわち、在庫確認画面の表示状態のときに、置かれていた展示靴が取り去られ、その後にサンプル１中のいずれもが置かれていなければ、在庫確認画面を当初の初期画面に戻す。例えば、上記図２０に示したように在庫確認画面が表示されているときに、来店客Ｘが一度置いた展示靴を取り去ったとすると、ＲＦＩＤリーダ３上には何もなくなるので、アプリ部５ｂが受信するタグＩＤ群がダミータグＩＤのみとなってモニタ６の表示は当初の初期画面に戻る（ステップＳ2〜Ｓ4）。しかし、展示靴が取り去られた時に、サンプル１以外の操作プレート２等の物が置かれていると、そのまま現画面状態毎の処理を終了したのでは在庫確認画面の表示状態が維持されてしまう。このため、展示靴が取り去られた時には、サンプルのタグＩＤがなければ在庫確認画面を当初の初期画面に戻してから現画面状態毎の処理を終了し、図５中でのステップＳ6からステップＳ2の処理へと戻ることとしている。
【００９０】
これに対し、展示靴が取り去られた時にサンプル１中のいずれかの物が置かれている場合には、アプリ部５ｂは、サンプルのタグＩＤがあると判断する（ステップＳD3での判断結果が“YES”となる。）。この場合には、そのタグＩＤが対応するタグＩＤテーブル中の属性及び属性内ＩＤに基づいて属性毎のテーブルから値を読み出し（ステップＳD5）、スタイル、色、材質及びサイズの全属性が揃っているか否かを判断する（ステップＳD6）。そして、全属性が揃っていない場合（ステップＳD6での判断結果が“NO”の場合）には、属性値が指定された（例えば色が赤である等の）初期画面をモニタ６に表示させて（ステップＳD7）現画面状態毎の処理を終了し、図５中でのステップＳ6からステップＳ2の処理へと戻る。
【００９１】
ここにいう属性値が指定された初期画面とは、上記ステップＳ15の処理で表示させる初期画面と同様のものである。例えば、上記図２１に示したように在庫確認画面が表示されているときに、来店客Ｘが展示靴を取り去ったとすると、その後に黒の色サンプル１２と23.0cmのサイズサンプル１０が残るので、上記案内表示に加えて“スタイルは何にしますか？”、“色  黒”と黒の色サンプル１２の画像、“材質は何にしますか？”及び“サイズ  23.0”のような表示がなされる。
【００９２】
すなわち、展示靴が取り去られた後にサンプル１が置かれている状態は、当初の初期画面の表示状態からサンプル１が置かれた状態と共通するので、アプリ部５ｂは、上記ステップＳ13〜Ｓ17に対応する処理（ステップＳD5〜ＳD9の処理）を“Ｄ”以下で行うものとなっている。したがって、アプリ部５ｂは、全属性についての値を読み出して全属性が揃っていると判断した場合（ステップＳD6での判断結果が“YES”の場合。例えば、展示靴を取り去る前に全属性のサンプル１を置いた場合等）には、読み出した値を検索条件として商品コードＤＢを検索する（ステップＳD8）。この場合においても、アプリ部５ｂは、全属性についての読み出した値につき、異なる属性間の値はａｎｄで連結し、同一属性内の値はｏｒで連結して、商品コードＤＢを検索する検索条件とする（例えば、パンプスのスタイルサンプル１３、赤と黒の色サンプル１２、革の材質サンプル１１及び23.5cmのサイズサンプル１０が置かれている場合には、検索条件は“パンプスａｎｄ（赤ｏｒ黒）ａｎｄ革ａｎｄ23.5”とする。）。これにより、アプリ部５ｂは、展示靴が取り去られた後に置かれているサンプル１によって指定される検索条件に該当する商品コードを特定する（ステップＳD8）。
【００９３】
続いてアプリ部５ｂは、特定した商品コードで商品ＤＢを検索し、該当するタグＩＤが１つ以上存在する商品コードについては、商品コードＤＢを参照し、検索結果画面に該当する情報を表示する（ステップＳD9）。これにより、アプリ部５ｂは、特定した商品コードのうち、在庫がある靴の商品コードに対応する商品コードＤＢ中の各情報を検索結果画面における情報として、モニタ６の表示を在庫確認画面から検索結果画面に変更し、展示靴が取り去られた後に置かれているサンプル１の条件に合致する靴の情報を表示する。
【００９４】
アプリ部５ｂは、このような検索結果画面をモニタ６に表示させると現画面状態毎の処理を終了し、図５中でのステップＳ6からステップＳ2の処理へと戻る。そして以後においても、図５のフローチャートの手順による処理を上記同様に行い、ＲＦＩＤリーダ３上に物が置かれ、あるいは、取り去られた時には、図６〜図１０のフローチャートの手順による処理を上記同様に行う。
【００９５】
＜主要な構成及び動作の解説と変形ないし応用等の例＞
（１）基本操作
上述した婦人靴検索システムは、本情報入力装置を適用した一例である。本情報入力装置は、上述したように検索条件や表示指示等のメタファとなる物をＲＦＩＤによって識別することとし、ユーザがＲＦＩＤリーダに置いた物を、隠喩により当該物に具現された検索条件ないし指示操作等の入力情報としてそのまま受け付ける。したがって、本情報入力装置は、他の商品検索システム等を始めとして、ユーザに対して所定の検索条件や表示指示等の入力が求められる情報提供システムないし情報機器一般に適用することができる。
そして、本情報入力装置によれば、ユーザが実施したいことないし実施できることを連想させるメタファ（隠喩）となる物（ＲＦＩＤタグを貼付した有体物）をＲＦＩＤリーダ上に置くことにより、システムを直感的かつダイレクトに（画面階層間で遷移する「検索」、「戻る」のボタン操作等を要せずして）操作することができる。
【００９６】
例えば、上記婦人靴検索システムについては、次のような特徴を挙げることができる。
(i)検索条件を指定したい場合
・材質を指定する場合については、実際の材質を張ったプレート（材質サンプル１１）を用意し、探したい材質のプレートをＲＦＩＤリーダ３へ置く。したがって、ユーザ（来店客）は、自身が探したい靴の材質を実際に触って確かめながらそれをそのまま検索条件として入力することができる。
・スタイル（形）を選ぶ場合については、代表的な実際の形を模した形の模型（スタイルサンプル１３）を用意し、探したい形の模型をＲＦＩＤリーダ３へ置く。したがって、ユーザは、実際に見たり手に取ったりして確かめた形をそのまま検索条件として入力することができる。
・色を選ぶ場合については、実際の色の付いたプレート（色サンプル１２）を用意し、探したい色のプレートをＲＦＩＤリーダ３へ置く。したがって、ユーザは、実際に見て確かめた色をそのまま検索条件として入力することができる。
上記婦人靴検索システムは、検索条件の入力操作をこのような形態で行うことを可能としたことにより、システム操作に関する知識がなくても、見たり触ったりした物から受けたイメージがそのままシステムの条件入力になるので、それを検索したいと思ったときに、そのときのイメージによって直感的に操作をすることができる。
【００９７】
(ii)画面の遷移ないし更新
物をＲＦＩＤリーダ３上に置くと、画面が遷移し、あるいは、更新され、取り除くと元の画面に戻るので、直感的に操作することができる。また、例えば、色を選ぶ場合については、選択可能な色を示す色選択ボタンが色毎に複数配列されており、その中からいずれか１つのボタンを押して色を指定し、そののち、“探す”ボタンを押したりする操作や、色・サイズ変更ボタンを押して元の画面に戻る等の選択操作（既存の婦人靴システム等で要求されている操作）が不要であり、ダイレクトに操作することができる。例えば、
・ＲＦＩＤリーダ３上に何も物を置かないと初期画面へ戻る。
・ＲＦＩＤリーダ３上に置いてあるサンプル１を別のサンプル１に変えると、再検索を行って結果を表示する。
・表示されている靴の３Ｄ映像を見たい場合には、“表示”プレートを置くと３Ｄ映像が表示され、取り除くと元の画面へ戻る。
・“次へ”プレートを置くと選択枠が右へ移動し、“前へ”プレートを置くと選択枠が左へ移動する。
したがって、物を置けば操作ができ、所望の結果が得られなければ置いた物を取り去ったり別の物に変えたりすればよいので、パーソナル・コンピュータ等の操作に慣れていない者や画面階層の知識がない者等でも直感的に操作することができる。
【００９８】
図２２は、上記(i)及び(ii)にいうような上記婦人靴検索システムでの直感的な操作形態の概略を表した図である。この図に示すように、材料見本、色見本及びスタイル見本等のＲＦＩＤタグ付きの見本を適宜用意しておき、ユーザが自分の探している靴の材質、色、スタイル（ジャンル）等の見本を選択してＲＦＩＤリーダに置くと、条件に合う靴を表示して紹介する。これにより、ユーザは、例えば図中左側下段にあるように実物の材質を触って確かめ、「こんな材質の靴が欲しい」と思えば、それをそのままシステムの入力にすることができ、「色は服に合わせて赤で」等と思えば、見た色見本をそのままシステムの入力にすることもできる。なお、図２２中の操作パックは、他の形態による操作手段であり、その詳細については後述する。
【００９９】
さらに、このような操作形態によれば、ユーザ等の言語に依存することなく操作をすることが可能である。例えば、画面中の文字表示がユーザにとって他国の言語であったとしても、メタファとなる物があり、それを置いたり取り除いたりすればよいので、その物を見れば容易に操作が分かる。したがって、本情報入力を適用した上記婦人靴検索システム等においては、表示文字等の言語が特定されず、任意の言語表示でユーザの操作が可能である。
【０１００】
本情報入力装置は、このように、ユーザが操作したいことないし操作できることを連想させるメタファとなる物を、ＲＦＩＤリーダに置いたり取り除いたりすることで、直感的にダイレクトに操作をすることができる手段となっており、ＲＦＩＤによるTangibleな入力インターフェース（実際に触ることのできる有形の入力インターフェース）を実現することができる。これにより、ウィンドウ・システム特有の階層構造による情報提供等での基本操作のために情報検索等が十分にできない子供や高齢者等でも容易に情報検索等の操作を行うことができ、各種情報提供システムのアクセシビリティを向上させ、ユニバーサルデザインを指向する入力インターフェースを提供することもできる。また、上記婦人靴検索システムのような商品に関する情報の検索システムにあっては、例えば、レディメイド商品のレコメンドやオーダメイド商品のコーディネイト支援等に資するものとして利用することもできる。また、住宅の内装サンプル（例えば、床材、壁紙、ドア材質、窓枠材質、ガラス材質、カーテン材質など）を組み合わせてＲＦＩＤリーダ上に置くと、それらを組み合わせた室内の３Ｄ映像をモニタに表示し、ユーザの内装コーディネイト支援に資するものとして利用することもできる。
【０１０１】
（２）レイアウト表示シート
上述したレイアウト表示シート４のようなレイアウトの表示シートをＲＦＩＤリーダ上に付けることにより、その表示が何を置けばよいかのガイドになるので、何をＲＦＩＤリーダの上に置けばよいかが見ればすぐに分かる。これにより、本情報入力装置は、パズルのように物とレイアウトを合わせるという誰でも連想できることを操作に取り入れているので、子供から高齢者まで誰でも簡単に操作をすることができる。
【０１０２】
上記レイアウト表示シート４については、特異な構成及び効果並びに変形例として、次のようなものが挙げられる。
(i)サンプルという枠（“探したい靴のサンプル”）があるので、「サンプルを置けばよいのだな」と容易に連想でき、ユーザをサンプルを置く行為に至らせることができる。
【０１０３】
(ii)サンプルに色々な属性（形態の種別）がある場合には、それぞれの属性毎に枠を表示することにより、どのような検索条件を指定できるかをユーザに容易に連想させることができ、多くのサンプルがある場合等でも何を置くべきかが容易に分かる。例えば、
・属性としては、スタイル（形）、色、材質及びサイズのグループを表示しておき、例えば、ユーザがスタイルにパンプス模型を、色に赤プレートを、材質に革プレートを、サイズに23.5cmのプレートを置くと、「スタイルがパンプス」かつ「色が赤」かつ「材質が革」かつ「サイズが23.5cm」の検索条件に合致した靴が画面に表示される。
・同一属性のサンプルを複数置くと、それらはｏｒ条件で検索される。例えば、ユーザが色に赤と黒のプレートを置くと、色が赤又は黒の靴を探しているとみなす。
【０１０４】
(iii)レイアウト上の“サイズ”、“移動”等の枠内エリアの色とサンプルのプレートの色を同一にすることにより、どのサンプルをどこに置けばよいのかが色合わせのように直感的に連想できる。レイアウト表示シート４においては、上述したように“サイズ”、“３Ｄ映像”、“移動”の枠内エリアの表示をそれぞれサイズサンプル１０、３Ｄ映像操作プレート２０、移動操作プレート２１と同一の色としたが、これら以外の“材質”、“色”、“スタイルまたは靴”の枠内エリアの表示についても、それぞれ材質サンプル１１、色サンプル１２、スタイルサンプル１３と色による対応表示をすることは可能である（例えば、材質サンプル１１、色サンプル１２、スタイルサンプル１３の端の方の一部にそれぞれのサンプルで同じ色を付けておき、その色をそれぞれ“材質”、“色”、“スタイルまたは靴”の枠の表示色としてもよい。）。さらに、このようなレイアウト上の枠内エリアとサンプルのプレートとの対応表示は、色のみに限らず、形状を同一にする等、対応関係を視覚ないし触覚等に訴える他の形態によって行うものとしてもよい。例えば、エリアの枠の形状とそこに置くプレートの形状を共に三角形等の所定の形状にしたりしてもよい。
【０１０５】
(iv)レイアウト表示の“３Ｄ映像”は「何を（名詞、目的語）」を表示しており、３Ｄ映像操作プレート２０の“表示”プレート及び“回転停止”プレートは「どうする（動詞）」に当たる表示及び回転停止を表示している。「何を」、「どうする」のような操作をユーザがシステムへ入力したいという場合に対して、このように「何を」に当たる部分をレイアウト表示し、「どうする」の部分を３Ｄ映像操作プレート２０で表示してあるので、ユーザにとっては、「何を」をキーとして実施したいことが整理され、どうできるのかが理解し易くなっている。「何をどうする」と一連に表示された操作プレートにすると、そのプレートを今置いてよいのかどうかユーザは迷うが、「何を」がレイアウト表示されていると、「今「どうする」を指定できるのだな」と連想できる。
【０１０６】
また、「どうする（動詞）」と「どのように（副詞）」のペアも同様にユーザにとっては実施したいことが整理され、どのようにできるのかが理解し易い。レイアウト表示の“移動”は「どうする」を表示しており、移動操作プレート２１の“次へ”プレート及び“前へ”プレートは「どのように」に当たる次へ及び前へを表示している。なお、移動操作プレート２１についても「何を」、「どうする」という表示形態にするのであれば、例えば、レイアウト表示の“移動”を“選択枠”等とし、移動操作プレート２１の“次へ”プレート及び“前へ”プレートを“次へ移動”プレート及び“前へ移動”プレート等とすればよい。
【０１０７】
(v)ＲＦＩＤリーダ３は、その上の任意の位置に置かれたＲＦＩＤタグのタグＩＤを読み取り、ＲＦＩＤタグの位置認識まではしない１枚のアンテナで構成された通常のものでよい。サンプル１等をレイアウト表示シート４に従って置かなくてもＲＦＩＤリーダ３はタグＩＤを読み取り、その読み取ったタグＩＤによってアプリ部５ｂが上述した処理動作を行うことができる。したがって、レイアウト表示シート４は、ＲＦＩＤタグを貼付した物を置く場所の表示はしているが、必ずその通りに置かなければならないという表示ではなく、ユーザに対して何を置けばよいのかを上述のように案内して分かり易くするガイダンス的なものである。
【０１０８】
ただし、通常のＲＦＩＤリーダは、その上にＲＦＩＤタグが重ねて置かれると、そのタグＩＤが読めない場合がある。これに対し、レイアウト表示シート４は、それぞれのサンプル１等をおく場所を重ならないように分散させてあるので、貼付されたＲＦＩＤタグが重ねて置かれる確率を減らすことができ、タグＩＤが読み取れない状態にサンプル１等が置かれるのを防止するようになっている。なお、ＲＦＩＤタグが重ねて置かれないようにするためには、サンプル１等の物を重ねて置くことができない形状（例えば、上面側がピラミッド型の形状等）にすることにしてもよい。
【０１０９】
(vi)レイアウト表示シート４は、ＲＦＩＤリーダ３上の全体面に置かれ、その表示が上記婦人靴検索システムのトップメニューに相当するということもできる。したがって、用途別にトップメニューに相当するレイアウト表示シート（例えば、上述のような婦人靴用シートやアパレル用シート等）を用意しておき、シーンに応じて差し替えることにより、１つのシステムを色々な用途に利用することができる。かかる用途別のレイアウト表示シートは、システムの運用者（店舗等の者）が予め用意してＲＦＩＤリーダ上に置くことにより、それぞれの用途においてどのような物（サンプル等のＲＦＩＤタグが付された物）を利用できるかがレイアウトを見ればすぐに分かるようにしておくことができる。
【０１１０】
この場合、それぞれの用途別のレイアウト表示シートには、それぞれの用途に係るレイアウト表示シートであることを識別するためのＲＦＩＤタグを裏面等に貼付しておき、そのタグＩＤを読み取ることによってシステムがいずれの用途に係るレイアウト表示シートであるかを識別するようにしてもよい。これにより、システムの運用者等がレイアウト表示シートをＲＦＩＤリーダ上に置くと、システムが当該レイアウト表示シートを識別して対応する用途に応じた画面表示等を行うようにすることもできる。例えば、上記婦人靴検索システムにおけるＲＦＩＤリーダ３やコンピュータ５等を必要に応じて別の場所（同一店舗内の他の商品を取り扱う場所等）に移動させ、その移動先の場所でレイアウト表示シートを置くだけでサンプルによる情報検索等を開始するようにすることもできる。
【０１１１】
（３）他の形態によるレイアウト表示シート
レイアウト表示シート４は、サンプル１等のＲＦＩＤタグが貼付された物を置く場所を表示するものであるが、本情報入力装置では、シートのレイアウト表示に対応した部分にＲＦＩＤタグを予め貼り付け、ユーザが指定したいレイアウト表示上にＲＦＩＤの読取を遮断する物を置くことにより、ユーザが直感的に操作をすることを可能にする他の形態によるレイアウト表示シートを利用することもできる。
【０１１２】
図２３は、かかる他の形態によるレイアウト表示シートの一例であるレイアウト表示シート４′を示した図である。レイアウト表示シート４′は、レイアウト表示シート４と同様に“探したい靴のサンプル”及び“操作”の枠があるが、“操作”の枠内右側にある“前へ”の文字及び左方向指示マークの表示と“次へ”の文字及び右方向指示マークの表示の部分が特異なものとなっている。左右の方向指示マークをそれぞれ囲んでいる図中の破線枠内の裏面（シートの裏面）には、それぞれの位置ないし表示を識別するためのＲＦＩＤタグが貼付されている。したがって、レイアウト表示シート４′がＲＦＩＤリーダ上に置かれると、それらのタグＩＤが読み取られることになる。
【０１１３】
図２４は、レイアウト表示シート４′をＲＦＩＤリーダ上に置いて使用するときの例を示した図である。図中“前へ”の文字下に置かれている“移動”と表示されたプレートは、レイアウト表示シート４′において使用する移動操作プレート２′である。移動操作プレート２′は、電磁波を遮蔽する導体を有するプレートであり、その置かれた箇所で占める領域内でのＲＦＩＤの読取を遮断する。具体的には、移動操作プレート２′は、表面に“移動”の文字を表示して裏面にアルミ箔、鉄又は銅等の金属を貼付したプレート等によって構成され、裏面に銀紙を貼り付けたプレート等の簡易なものであってもよい。なお、移動操作プレート２′と“前へ”の文字等の表示枠は同色になっている。
【０１１４】
ユーザは、この移動操作プレート２′を裏面にＲＦＩＤタグが貼付された“前へ”又は“次へ”の文字下の破線枠内に置くことにより、置いた方の破線枠内裏面に貼付されたＲＦＩＤタグのＲＦＩＤリーダによる読取を遮断し、前への移動と次への移動を指定することができる。例えば、“前へ”、“次へ”の破線枠内裏面に貼付されたＲＦＩＤタグのタグＩＤをそれぞれ“１”、“２”とすると、
(a)ユーザが移動操作プレート２′を“前へ”及び“次へ”のいずれにも置かなければ、ＲＦＩＤリーダでは“１”及び“２”のタグＩＤが双方共読み取られる。
(b)ユーザが移動操作プレート２′を図２４に示したように“前へ”の位置に置くと、“前へ”の方に貼付されているＲＦＩＤタグのタグＩＤ“１”がＲＦＩＤリーダでは読み取れなくなり、“２”のタグＩＤのみが読み取られる。
(c)ユーザが移動操作プレート２′を“次へ”の位置に置くと、“次へ”の方に貼付されているＲＦＩＤタグのタグＩＤ“２”がＲＦＩＤリーダでは読み取れなくなり、“１”のタグＩＤのみが読み取られる。
これらの(a)〜(c)の読取データの違いにより、ユーザがどの位置を移動操作プレート２′で指定したかを上記コンピュータ５等のシステム側で認識することができる。すなわち、レイアウト表示シート４′中のＲＦＩＤタグが貼付された箇所に移動操作プレート２′が置かれると、その箇所のＲＦＩＤタグのみが読み取られなくなるので、読み取られなくなったＲＦＩＤタグがいずれかを判断することにより、ユーザが移動操作プレート２′を置いて“前へ”ないし“次へ”のいずれの場所を指定したかを認識することができる。例えば、図２４に示した場合にあっては、タグＩＤ“１”が読み取れなくなるので、ユーザが“前へ”を指定したものとすることができる。
【０１１５】
このような形態によるレイアウト表示シートによれば、ＲＦＩＤリーダでは通常はＲＦＩＤタグの位置認識はできないが、あたかも位置認識ができ、ユーザ側からすれば位置の指定ができたかのような操作を行うことが可能となる。また、移動操作プレート２′によって上記選択枠を移動させることとすれば、画面上での選択枠の左右の動きをレイアウト表示シート上での移動操作プレート２′の同じ左右の動きで操作できるので、その点でも直感的な操作ができることになる。さらに、操作用のプレートが前への移動と次への移動の２操作に対して１つで足りるという利点もある。
【０１１６】
そして、このような形態によれば、他にもレイアウト表示シートの複数の箇所にＲＦＩＤを貼付し、いくつかの操作や検索条件の指定等を１つのプレートによって行うことも可能である。例えば、“前へ”や“次へ”に加えて“上へ”や“下へ”の操作についても上記同様にレイアウト表示シートに貼付したＲＦＩＤタグによって指定することができる。
また、検索条件については、例えば、サイズの選択用に“big”や“small”等の表示をしてそれらの裏面にＲＦＩＤタグを貼付し、その表示位置を上記同様にＲＦＩＤの読取を遮断するプレート等によって指定することにより、サイズの選択等をすることができる。
また、その他の形態として、例えば、サンプルの『色』を例として以下に説明する。すなわち、レイアウトシートの『色』のエリアに“赤”、“青”、“白”、“黒”、“ピンク”等の見出しを付けておいて、それぞれの色ごとに、その色の見出しの下に、色のサンプルを置いてもらうための枠内エリア（図２３の右下の破線のように）を設け、その裏側にはそれぞれ色を識別するためのＲＦＩＤを貼り付けておく。そして、ＲＦＩＤの読み取りを遮断する複数のプレートを用意しておき、ユーザにレイアウトシートの該当する色（希望する色）の位置にそのプレートをおいてもらうようにしてもよい。これにより、遮断された箇所の色によって、色の選択等をすることもできる。
このように、色別のサンプルをそれぞれ個別に用意しなくても、まったく同一形状のプレート（例えばすべて黒の円錐型やカード型など）を用意することによっても、検索条件としてサイズ等の選択をすることができるようになる。
このような形態では、色別のサンプルをそれぞれ用意する必要が無いこと、色別のサンプルにＲＦＩＤを貼り付ける必要も無いので、サンプルを簡単に大量に用意できる。このため店頭でのサンプルの紛失、補充等にも柔軟に対応可能である。
【０１１７】
（４）選択枠
上記婦人靴検索システムにおける選択枠は、移動操作プレート２１の“次へ”プレートを置くと右に１つ移動し、“前へ”プレートを置くと左に１つ移動する。選択枠の移動形態については、これに限らず、移動操作プレート２１が置かれている間はタグＩＤの読取を行う度に１つずつ移動するようにしてもよい。例えば、検索結果画面の表示状態で“次へ”プレートが置かれていれば、ＲＦＩＤリーダ３がタグＩＤを読み取る１秒間隔等の時間間隔で１つずつ右へ順次移動し、“次へ”プレートが取り去られた時に停止する（来店客が３Ｄ映像を見たいと思う靴の所で“次へ”プレートを取り去った時に停止する）ようにしてもよい。このようにするには、例えば、上記図５のステップＳ5で差分タグＩＤがなかったときに検索結果画面の表示状態か否かを判断し、その表示状態であって移動操作プレート２１が置かれている場合には、上記図７のステップＳA2の処理を行うようにしてもよい。
【０１１８】
（５）タグＩＤ群等
上記ダミータグＩＤは、１回の読取動作で読み取られたタグＩＤ群の区切りを示すものであるが、例えば、“A,B,C”に次いで“A,B”のタグＩＤが読み取られたときに、これらがそのまま“A,B,C,,,A,B,…”等の形式でアプリ部５ｂに受信されると、それぞれの時点で置かれた物に対応したアプリ部５ｂの処理が適切に行えなくなる場合がある。このようなことから、上記婦人靴検索システムではダミータグを導入し、例えばダミータグをXとして“A,B,C,X,,A,B,X,…”等の形式によりタグＩＤ群をアプリ部５ｂに供給している。
したがって、１回の読取動作で読み取ったタグＩＤ群（１回の読取コマンドに対する読取タグＩＤ群）を識別することができればよく、通信形態によってはダミータグＩＤが不要とする構成を採用してもよい。
なお、上記タグＩＤ読取部５ａは、１秒間隔等の時間間隔でタグ読取コマンドを送信し、その時間間隔でタグＩＤ群を取得するものであったが、その実際の時間間隔は、置かれるサンプル１等の数（読取対象となるＲＦＩＤタグの数）、ハードウェアの性能、通信プロトコル等によって変動するので適宜設定するものとしてよい。
【０１１９】
（６）その他
上記婦人靴検索システムにおいては、来店客が選択した靴の３Ｄ映像を表示することとしたが、これに限らず、他の商品詳細情報等を表示することにしてもよい。サンプル１や操作プレート２等のプレートは、板状のプレートに限られるわけではなく、パック等の他の形態のものでもよい。上記記憶部５ｃは、アプリ部５ｂの処理で必要なタグＩＤテーブルや商品ＤＢ等の情報をすべて記憶しているものとしたが、この形態に限らず、店舗内の他の商品管理システム等で上記タグＩＤテーブルや商品ＤＢ等の一部又は全部を保持し、コンピュータ５がそのシステムに接続して必要な情報を利用することにしてもよい。
【０１２０】
また、上述の実施形態において、記録媒体としてＲＦＩＤタグを利用した場合について説明したが、ＲＦＩＤタグ以外の記録媒体を適用するようにしてもよい。例えば、バーコードを裏面に付けた検索条件見本等物をガラス台の上に置くと、台の下に設置されたカメラによってバーコードを読み取って、検索条件見本等の物を識別するようにしてもよい。
ここでは、レイアウト表示シートには、透明なビニールシート又は透明な薄いアクリル板を用いればよい。
また、検索条件見本等に一意に特定される番号がシール等により付されている、あるいは、番号が書き込まれていて、その番号をカメラ等により読み取り、読み取った番号をもとにして、対応する識別情報が記憶されているＲＦＩＤタグから識別情報を取得するようにしてもよい。ここでは、番号とＲＦＩＤタグとを対応付けする記憶テーブルが予め設けておけばよい。
【０１２１】
また、上述した実施形態において、レイアウト表示シート４（あるいは４′）については、例えば、紙等の印刷媒体にレイアウト表示内容が印刷されたものが利用可能であるが、このレイアウト表示シート４（あるいは４′）を液晶表示をする液晶パネルに換え、この液晶パネルにレイアウト表示の内容を表示させるようにしてもよい。ここでは、液晶表示装置のうち液晶パネルをＲＦＩＤリーダの上面側（メタファ等を置く面）に配置し、液晶パネルに情報を表示させる駆動回路等については、ＲＦＩＤリーダの上面側以外（下面側、側面側）に配置し、液晶パネルと駆動回路とに配線して駆動させるようにしてもよい。ここでは、通常の液晶表示装置においては、駆動回路の一部に金属の薄膜やプリント基板等があり、ＲＦＩＤリーダとＲＦＩＤタグの間に液晶表示装置が位置すると、この駆動回路に用いられた部品によってはＲＦＩＤリーダとＲＦＩＤタグとが通信できない可能性があるが、液晶パネルをＲＦＩＤリーダ上に配置させ、駆動回路をＲＦＩＤリーダとＲＦＩＤタグとが通信する範囲外に配置させるようにしたので、ＲＦＩＤリーダとＲＦＩＤタグとが正常に通信を行うことができる。
また、レイアウト表示シート４（あるいは４′）に印刷媒体を利用した場合は、レイアウト表示の内容を変更する必要がある場合であっても、表示内容を変える毎に、レイアウト表示シートを取り替える必要がなく、コンピュータ５によって液晶パネルに表示させる情報を変えることにより、印刷媒体を利用する場合に比べて、柔軟にレイアウト表示の内容を変更することが可能となる。また、必要に応じて、メタファを置き場所を目立たせるようにその置き場所の図柄を点滅表示させたり、異なる色に変えるようにしてもよい。また、ＲＦＩＤリーダに読み取らせるＲＦＩＤタグの組み合わせに応じて、液晶パネルに表示させる内容を変更するように、連動させるようにしてもよい。
【０１２２】
また、上述した実施形態において、裏面にアルミ箔等が貼付された移動操作プレート２′を用いる場合について説明したが、このアルミ箔のサイズよりも大きい面積のＲＦＩＤタグを移動操作プレート２′の表面に貼付するようにしてもよい。これにより、移動操作プレート２′が置かれた位置に配置されていたレイアウト表示シート４′のＲＦＩＤタグを読み取り不可とし、移動操作プレート２′の表面に貼付されたＲＦＩＤタグを読み取らせることができる。これにより、移動操作プレート２′が置かれたことによって読み取りができなくなったＲＦＩＤタグを検出し、そのＲＦＩＤタグに応じた操作を行う以外に、新たに読み取れるようになったＲＦＩＤタグ（移動操作プレート２′の表面に貼付されたＲＦＩＤタグ）を検出し、その検出したＲＦＩＤタグに応じた処理を行うことが可能となる。
例えば、図５のステップＳ３において、タグＩＤ群がダミータグＩＤのみであるか否かを判断する際に、初期配置のＲＦＩＤタグのみであるか否か（移動操作プレート２′の表面に貼付されたＲＦＩＤタグがあるか否か）を判定し、初期配置のＲＦＩＤタグのみである場合には、ステップ４に移行し、初期配置のＲＦＩＤタグ以外のＲＦＩＤタグも検出された場合（移動操作プレート２′の表面に貼付されたＲＦＩＤタグも検出された場合）に、ステップＳ５に移行するようにしてもよい。これにより、操作がなされたか否かを確実に判定することが可能となる。
【０１２３】
＜他の形態による操作手段＞
次に、上記婦人靴検索システムにおいて採用し得る他の形態による操作手段について説明する。図２５は、その他の形態による操作手段である操作パック２Ｐを採用した場合におけるＲＦＩＤリーダ３上のレイアウト表示の一例を表したレイアウト表示シート４０を示した図である。以下に説明する操作パック２Ｐやレイアウト表示シート４０等によってユーザである来店客がする操作を受け付ける形態は、本情報入力装置の他の形態である。
【０１２４】
レイアウト表示シート４０は、レイアウト表示シート４ないし４′と同様にＲＦＩＤリーダ３上に置く物の案内をする所定のレイアウト表示がなされたシートであり、紙等の印刷媒体や液晶パネル等によって構成される。レイアウト表示シート４０には、図示のように“探したい靴のサンプル”の枠内にスタイルサンプル１３又は展示靴を置く“スタイルまたは靴”、色サンプル１２を置く“色”、及び材質サンプル１１を置く“材質”の３つの枠が表示されており、それらの枠の下に“サイズ”と“操作”の枠が表示されている。“サイズ”と“操作”の枠は、それぞれの位置ないし表示を識別するための初期配置のＲＦＩＤタグがシート裏面に予め貼付されており、その初期配置ＲＦＩＤタグの読取を遮断することによってサイズや操作を指定する形態の枠（上述した移動操作プレート２′を用いる場合の形態による枠）となっている。
【０１２５】
“サイズ”の枠内には、それぞれ“21.5”、“22.0”、“22.5”、“23.0”、“23.5”のサイズを示した四角形状のサイズ表示枠があり、それぞれのサイズ表示枠内の点線丸印で示した位置の裏面に初期配置ＲＦＩＤタグが貼付されている（点線丸印は、各初期配置ＲＦＩＤタグの位置を示す単なる印であり、その表示がレイアウト表示シート４０上にあるわけではない。以下、他の点線丸印も同様である。）。図２５では、それらのサイズ表示枠中の“23.0”の枠にサイズプレート１０Ｐが置かれている状態を示してある。サイズプレート１０Ｐは、表面に“size”の文字が表示され、裏面にアルミ箔等の金属が貼付されたプレートであり、その置かれた位置にある初期配置ＲＦＩＤタグの読取を遮断する。ユーザは、このサイズプレート１０Ｐを自身が選択したサイズのサイズ表示枠に置くことにより、そのサイズ表示枠の初期配置ＲＦＩＤタグをＲＦＩＤリーダ３が読み取れないようにしてサイズを指定する。
【０１２６】
“操作”の枠内には、それぞれ“３Ｄ映像”、“選択  select”の操作項目を示した四角形状の操作表示枠があり、それぞれの操作表示枠内の点線丸印で示した位置の裏面に初期配置ＲＦＩＤタグが貼付されている。レイアウト表示シート４０では、これらの“３Ｄ映像”及び“選択  select”の２つの操作表示枠が操作パック２Ｐを置く場所として用意されており、図２５においては、そのうちの“選択  select”の枠の方に操作パック２Ｐが置かれている状態を示してある。操作パック２Ｐは、ユーザが操作表示枠内に置いた状態で回転させる操作（図中の矢印で示したような双方向の回転操作）をすることによって選択操作用又は３Ｄ映像の表示操作用のダイヤルないしコントローラとして利用する操作手段となっており、初期配置ＲＦＩＤタグの読取を遮断するシールド機能を備え、かつ、回転操作の検出と出力の機能を担う加速度センサ及び無線通信装置を内蔵した円柱状ないし円盤状のパックで構成されている。
【０１２７】
図２６は、かかる操作パック２Ｐの具体的な構成をレイアウト表示シート４０等の関連する他の構成の概略と共に示した図である。レイアウト表示シート４０は、操作パック２Ｐの操作シートとしてＲＦＩＤリーダ３のＲＦＩＤリーダアンテナ３ａ上にあり、操作パック２Ｐは、その操作表示枠内（初期配置ＲＦＩＤタグ上）に図２６中の破線矢印で示したように置かれて使用される。なお、図２６中のコンピュータ５０は、操作パック２Ｐを利用する場合に必要な無線通信機能等を上記コンピュータ５に備えたものであるが、その詳細は後述する。
【０１２８】
操作パック２Ｐは、図示のようにマーキング２Ｐａ、操作検出機器２Ｐｂ及びシールド部２Ｐｃを有している。マーキング２Ｐａは、操作パック２Ｐ上面の所定箇所に表示された赤丸印であり、操作パック２Ｐの向きや回転量等をユーザが視認できるように示すものとなっている（上記図２５中の矢印のようなものであってもよい。ただし、マーキング２Ｐａは、必要に応じて適宜設ければよく、必要のない場合はなくてもよい。）。操作検出機器２Ｐｂは、加速度センサと無線通信装置を有する機器であり、操作パック２Ｐの回転操作をしたときに生じる加速度を検出する機能と、検出した加速度を無線通信によってコンピュータ５０に伝える無線通信機能とを備えている。シールド部２Ｐｃは、電磁波を遮蔽する導体等で構成された上記シールド機能の実現手段であり、操作パック２Ｐが操作表示枠に置かれたときに当該操作表示枠の初期配置ＲＦＩＤタグの読取を遮断する。具体的には、シールド部２Ｐｃは、操作パック２Ｐの底面ないし底面側内部に設けられたアルミ箔、鉄又は銅等の金属のＲＦＩＤ読取遮断物によって構成することができ、操作パック２Ｐの底面ないし底面板内部側面に銀紙を貼り付けたもののような簡易なものであってもよい。
【０１２９】
このような構成の操作パック２Ｐは、例えば、操作検出機器２Ｐｂを３軸加速度センサと短距離無線通信装置等で構成し、その操作検出機器２Ｐｂを内蔵したパックに上述のようなマーキング２Ｐａとシールド部２Ｐｃを設けることによって実現することができる（例えば、３軸加速度センサとBluetooth（登録商標）の無線通信装置を装備した機器が市販されているので、そのような機器を操作検出機器２Ｐｂとして利用することもできる。）。ただし、３軸加速度センサの場合、水平面で回転させたときには、その回転の状況を認識できる有意な加速度データを取得することができない。このため、３軸加速度センサを利用する場合には、操作パック２Ｐの回転操作をしたときに加速度センサが水平面から一定の方向に傾いた状態で回転するような構成を採用する。
【０１３０】
図２７は、かかる加速度センサの回転を実現する具体的な構成の例を示した図である。図示の構成例は、水平面から０°より大きく、９０°未満である傾斜角度を付けてＲＦＩＤリーダアンテナ３ａを支持し（例えば、その傾斜角度の斜面を商品検索台７の上面に設け、当該斜面上でＲＦＩＤリーダアンテナ３ａないしＲＦＩＤリーダ３を支持し）、その上にレイアウト表示シート４０を置くものとなっている。これにより、ＲＦＩＤリーダアンテナ３ａ及びレイアウト表示シート４０を傾けて設置し、操作パック２Ｐを置いて回転操作する場所となるレイアウト表示シート４０上の面を水平面から所定の角度だけ傾ける。
【０１３１】
ｘ軸、ｙ軸及びｚ軸の３軸加速度センサを利用した操作パック２Ｐは、このような水平面から傾いた場所に置いて回転させると、図２７中の操作パック２Ｐ内に示したｘ軸方向とｙ軸方向の重力加速度による加速度成分が変動する。図２８は、その変動による加速度変異の例を表した図である。図２８中のグラフは、縦軸を検出された加速度データ（数値自体は適宜量子化された値である。）、横軸を回転量（各破線の位置が当該各破線を指す矢印元に表記した角度分の回転量に相当する。）として、傾けて設置してある場所に操作パック２Ｐを置いて回転操作した場合の加速度変異例を示している。
【０１３２】
このグラフに現れているように、ｚ軸方向の加速度データ（点線）はほぼ一定であるが、ｘ軸方向の加速度データ（破線）とｙ軸方向の加速度データ（実線）は、操作パック２Ｐの回転操作に伴って変動しており、回転量に応じて特定の変異を示す。また、操作パック２Ｐの回転操作速度は、この回転量に応じた特定の変異の進行速度として現れる。したがって、操作パック２Ｐに３軸加速度センサを利用する場合には、重力加速度によるｘ軸方向とｙ軸方向の加速度データの変異により、操作パック２Ｐの向き、回転操作速度及び回転操作量を認識することができる。
【０１３３】
なお、操作パック２Ｐの回転操作場所を傾ける角度（ＲＦＩＤリーダアンテナ３ａ等の設置傾斜角度）は、操作パック２Ｐ等が滑り落ちることなく加速度変異を適切に検出できる角度とし、例としては１５°程度にすることが挙げられる。ただし、かかる角度は、操作パック２Ｐ底面の粘性や摩擦、利用する加速度センサの精度等によって変わるので、適宜選定するものとしてよい。例えば、操作パック２Ｐ底面の粘性や摩擦を増強すると、加速度変異が検出し易いように角度を大きくすることができるが、加速度センサの精度が高ければ、角度を小さくして回転操作場所を水平面に近くすることもできる。
【０１３４】
また、３軸加速度センサを利用する場合には、加速度センサが水平面から一定の方向に傾いた状態で回転するようにすればよいので、上述したように回転操作場所を傾けるのではなく、水平に置かれた操作パック２Ｐにおいて加速度センサが傾いた状態で回転するようにしてもよい。そのための構成としては、例えば、ｚ軸を中心として加速度センサを回転自在に支持する回転軸を操作パック２Ｐに鉛直方向から傾けて設け、操作パック２Ｐの回転操作で加速度センサの部分をｚ軸中心に回転させるようにすれば、上記同様の加速度変異を示す加速度データが得られる。
【０１３５】
上記婦人靴検索システムにおいて以上のような操作パック２Ｐを利用する場合のシステム構成を図２９に示す。操作パック２Ｐを利用する場合においても、サンプル１中の材質サンプル１１、色サンプル１２及びスタイルサンプル１３、展示靴、ＲＦＩＤリーダ３並びにモニタ６については、ハードウェアとしての物自体は上述したものを利用してよいが、サイズプレート１０Ｐ、操作パック２Ｐ、レイアウト表示シート４０及びコンピュータ５０と協働するという点で上述したものとは異なる動作ないし機能を実現するものとなる。例えば、ＲＦＩＤリーダ３については、その上にレイアウト表示シート４０が置かれるので、サンプル１等のＲＦＩＤタグに加えて読取が遮断されていない初期配置ＲＦＩＤタグのタグＩＤも読み取るものとなり、モニタ６については、コンピュータ５０による制御の下で所定の情報表示をするものとなる。
【０１３６】
コンピュータ５０は、操作パック２Ｐを利用する場合に必要な機能を上記コンピュータ５に備えたものであり、タグＩＤ読取部５０ａ、アプリ部５０ｂ、記憶部５０ｃ、無線通信処理部５０ｄ及び加速度センサ情報判定部５０ｅを有している。タグＩＤ読取部５０ａは、上記タグＩＤ読取部５ａと同様のタグＩＤの読取機能ブロックであるが、タグ読取コマンドを送信して（図２９中の“（１）タグ読取コマンド”）読取が遮断されていない初期配置ＲＦＩＤタグのタグＩＤが含まれたタグＩＤ群をＲＦＩＤリーダ３から受信し（“（２）読み取ったタグＩＤ群”）、そのタグＩＤ群をアプリ部５０ｂに供給する（“（３）タグＩＤ群”。なお、アプリ部５０ｂに供給するタグＩＤ群の形式は、上記同様にダミータグＩＤを付加したもの等の所定の形式とする。）。アプリ部５０ｂは、読み取られたタグＩＤ、記憶部５０ｃ中の情報、及び後述する加速度センサ情報判定部５０ｅからの操作パック２Ｐの操作情報に基づき、モニタ６の表示制御（“（４）モニタ表示”）等を行うアプリケーション・プログラムの実行処理部であり、上記アプリ部５ｂに初期配置ＲＦＩＤタグのタグＩＤと操作パック２Ｐの操作情報に基づく情報処理機能を備えたものとなっている。記憶部５０ｃは、コンピュータ５０にインストールされたプログラムのファイルやそのプログラムによって取り扱われる種々の情報のデータ・ファイル等が格納されている記憶手段である。記憶部５０ｃに格納されているプログラム・ファイルは、上記記憶部５ｃに格納されているプログラム・ファイルにおいて、初期配置ＲＦＩＤタグのタグＩＤと操作パック２Ｐの操作情報に基づく情報処理を実行するためのプログラムを取り入れたものとなっている。記憶部５０ｃに格納されているデータ・ファイルは、上記記憶部５ｃに格納されているデータ・ファイルにおいて、タグＩＤテーブルと属性毎のテーブルにあったサイズと操作の属性の各タグＩＤをレイアウト表示シート４０にある各初期配置ＲＦＩＤタグのタグＩＤとし、操作の各属性については“３Ｄ映像”の初期配置ＲＦＩＤタグのタグＩＤが対応する属性内ＩＤと３Ｄ映像の表示を示す値とを対応させて記憶したものを３Ｄ映像テーブルとし、“選択  select”の初期配置ＲＦＩＤタグのタグＩＤが対応する属性内ＩＤと選択（上記移動の属性の“次へ”と“前へ”の双方を含む。）を示す値とを対応させて記憶したものを移動テーブルとしたものとなっている。
【０１３７】
無線通信処理部５０ｄは、コンピュータ５０において操作パック２Ｐの操作検出機器２Ｐｂと無線通信を行うための通信機能ブロックであり、操作検出機器２Ｐｂの無線通信装置との無線通信インターフェース等によって構成される（例えば、市販されている無線通信ユニットとして、３軸加速度センサとBluetoothの無線通信装置を装備した機器、及び当該無線通信装置との無線通信用アダプタがあるので、その機器を操作検出機器２Ｐｂに利用して操作パック２Ｐを構成すると共に、その無線通信用アダプタを利用して無線通信処理部５０ｄを構成してもよい。）。無線通信処理部５０ｄは、操作パック２Ｐの加速度センサで検出された加速度データを受信し、コンピュータ５０での処理に供し得る加速度データとして加速度センサ情報判定部５０ｅに供給する。
【０１３８】
加速度センサ情報判定部５０ｅは、無線通信処理部５０ｄからの加速度データに基づいて操作パック２Ｐの向き、回転操作速度及び回転操作量を判定する処理を行い、判定した向き、回転速度及び回転量を操作パック２Ｐの操作情報としてアプリ部５０ｂに供給する。例えば、上述したように操作パック２Ｐに３軸加速度センサを利用する場合には、操作パック２Ｐの回転操作に伴って図２８中のグラフに示したように変動するｘ軸方向、ｙ軸方向及びｚ軸方向の加速度データが無線通信処理部５０ｄから供給されるので、加速度センサ情報判定部５０ｅは、それらの加速度データから重力加速度によるｘ軸方向とｙ軸方向の加速度データの変異を把握し、把握した変異によって操作パック２Ｐの向き、回転操作速度及び回転操作量を認識して判定し、判定した向き、回転速度及び回転量を操作パック２Ｐの操作情報としてアプリ部５０ｂに供給する。
【０１３９】
ユーザが操作パック２Ｐをレイアウト表示シート４０の“３Ｄ映像”又は“選択  select”の操作表示枠に置いて回転操作したときには、コンピュータ５０において、操作パック２Ｐが置かれた場所が判断されると共に、上記無線通信処理部５０ｄ及び加速度センサ情報判定部５０ｅによって操作パック２Ｐの操作情報がアプリ部５０ｂに供給され、アプリ部５０ｂが操作パック２Ｐの回転操作に応じてモニタ６の表示を制御する。すなわち、ユーザが操作パック２Ｐを操作表示枠の初期配置ＲＦＩＤタグ上に置くことにより、当該初期配置ＲＦＩＤタグがシールド部２ＰｃでシールドされてＲＦＩＤリーダアンテナ３ａでは読めなくなるので、コンピュータ５０においては、ＲＦＩＤリーダ３からのタグＩＤ群中になくなった当該初期配置ＲＦＩＤタグのタグＩＤ、並びに上記記憶部５０ｃのタグＩＤテーブル、３Ｄ映像テーブル及び移動テーブルにより、その場所（当該初期配置ＲＦＩＤタグがある操作表示枠）に操作パック２Ｐが置かれたということをアプリ部５０ｂで判断することができる。そして、その場所でユーザが操作パック２Ｐの回転操作をすると、操作パック２Ｐの向き、回転操作速度及び回転操作量がアプリ部５０ｂに供給されるので、アプリ部５０ｂは、操作パック２Ｐが“選択  select”の操作表示枠に置かれていれば回転操作に応じて選択枠を移動させたり、操作パック２Ｐが“３Ｄ映像”の操作表示枠に置かれていれば３Ｄ映像を回転操作に応じて回転させたりするモニタ６の画面表示の変更をすることができる。
【０１４０】
このようなモニタ６の画面表示の変更は、アプリ部５０ｂが上記アプリ部５ｂに準じて図５〜図１０のフローチャートの手順による処理を実行することによって行うこともできる。すなわち、属性がサイズのタグＩＤについては、ＲＦＩＤリーダ３からのタグＩＤ群中になくなった初期配置ＲＦＩＤタグのタグＩＤに対応するサイズを検索条件とする。また、属性が３Ｄ映像及び移動のタグＩＤについては、ＲＦＩＤリーダ３からのタグＩＤ群中になくなった初期配置ＲＦＩＤタグのタグＩＤがあったときに、そのタグＩＤがあると判断して行うこととしていた処理を実行する。そして、他の処理については上記アプリ部５ｂと同様に実行し、加えて操作パック２Ｐの回転操作に応じたモニタ６の表示制御を取り入れる。
【０１４１】
これにより、例えば、ユーザがレイアウト表示シート４０上に材質サンプル１１、色サンプル１２及びスタイルサンプル１３をそれぞれ少なくとも１つ以上置き、かつ、サイズ表示プレート１０Ｐをいずれかのサイズ表示枠に置くと、それらの検索条件に合致する靴の情報が示された検索結果画面が表示される。そして、その検索結果画面の表示状態でユーザが操作パック２Ｐを“選択  select”の枠に置くと、現画面状態毎の処理において検索結果画面の表示状態で種別が操作の差分タグＩＤがあると判断され（上記ステップＳ6でステップＳ10、Ｓ18〜Ｓ21へと進み）、属性毎のテーブルから値を読み出して“Ａ”以下の処理が実行される。
【０１４２】
図３０は、この場合に実行される上記“Ａ”以下の処理に操作パック２Ｐの回転操作に応じた表示制御を取り入れた手順の例を示したフローチャートである。今、ユーザは操作パック２Ｐを“選択  select”の枠に置いたので、ＲＦＩＤリーダ３からのタグＩＤ群中でなくなった初期配置ＲＦＩＤタグのタグＩＤには３Ｄ映像属性で値が表示のタグＩＤはなく（ステップＳA1での判断結果は“NO”となり）、ステップＳA2′の処理へと進む。ステップＳA2′の処理では、操作属性のタグＩＤが読み取れない場合、すなわち、ＲＦＩＤリーダ３からのタグＩＤ群中でなくなった初期配置ＲＦＩＤタグのタグＩＤが操作属性（ここではステップＳA1での判断結果から３Ｄ映像属性のものが除かれるため、移動属性のもの）である場合に、アプリ部５０ｂは操作パック２Ｐが置かれたと判断する。そして、その状態で操作パック２Ｐが回転操作されることにより、操作パック２Ｐの操作に応じて選択枠を移動させる。
【０１４３】
したがって、アプリ部５０ｂは、ユーザが操作パック２Ｐを“選択  select”の枠に置いたことを判断し、かつ、その状態でユーザが操作パック２Ｐの回転操作をすると、それに応じて選択枠を移動させることになる。このときのユーザによる操作パック２Ｐの操作とアプリ部５０ｂによる選択枠の移動の形態としては、例えば次のようなものが挙げられる。
・形態(a)：ユーザがマーキング２Ｐａを目安として操作パック２Ｐを右又は左にねじり、ねじった方向にアプリ部５０ｂが選択枠を移動させ、ユーザがねじる前の元の位置にマーキング２Ｐａを戻した時にアプリ部５０ｂが選択枠を停止させる。この形態(a)における選択速度（選択枠の移動速度）は、ねじり量（基準点からどの位動かしたかの角度や動かしている時間等）に応じて可変にするものとしてもよい。
・形態(b)：ユーザが操作パック２Ｐを自由に右回転、左回転させて操作し、回転させた方向にアプリ部５０ｂが選択枠を移動させる。この形態(b)における選択速度は、操作パック２Ｐの回転速度や回転量に応じて可変にするものとしてもよい。
【０１４４】
操作パック２Ｐを採用した場合においては、上記婦人靴検索システムによって実施される情報提供サービスに加え、上述したように操作パック２Ｐの回転操作による選択（３Ｄ映像等の詳細を表示させる靴の選択）の指示入力をすることができ、３Ｄ映像の表示操作等の指示入力を行うことも可能である。すなわち、上述した形態の本情報入力装置は、選択指示方法として、プレートの代わりにＲＦＩＤの読取を遮断するアルミ箔等のシールド部と加速度センサと無線通信装置を内蔵した操作機器（パック）を使用し、当該操作機器をレイアウト表示のシートの特定の位置周辺に置くことにより、その位置に関連付けられた情報を当該操作機器の動かし方（回転させるダイヤル操作等）によって選択、操作ないし指定することができるものとなっている。
【０１４５】
また、操作パック２Ｐは、加速度センサを内蔵してユーザの操作を検出するものであるため、上述したような回転操作に限らず、操作パック２Ｐを移動させる他の操作も検出することができ、かかる他の移動操作に応じて他の指示入力をする手段としても利用することが可能である。さらに、操作パック２Ｐは、上述したように初期配置ＲＦＩＤタグの読取を遮断して置かれた場所を特定する形態に限らず、操作パック２Ｐ自体（の底面等）に当該操作パックを識別するＲＦＩＤタグを付しておき、そのＲＦＩＤタグをＲＦＩＤリーダ３で読み取ることによって当該操作パックが置かれたことを判断する形態を採用することもできる。なお、当該操作パックを識別するＲＦＩＤタグには、当該操作パックによって行われる操作項目（操作の内容）等の情報を記録するものとしてもよく、例えば、複数の操作パックを用意してそれぞれの操作パックの操作項目をＲＦＩＤタグに予め記録し、置かれた操作パックによる操作項目に対応した操作の指示入力をそれぞれ受け付けるようにしてもよい。
【０１４６】
以上のような操作パックを利用した本情報入力装置ないし婦人靴検索システムも、ユーザが操作したいことないし操作できることを連想させるメタファとなる物を、ＲＦＩＤリーダに置いたり、移動させたり、回転させたり、取り除いたりすることで、直感的にダイレクトに操作をすることができる手段を提供するものとなっており、ＲＦＩＤによるTangibleな入力インターフェース（実際に触ることのできる有形の入力インターフェース）を実現することができる。これにより、ウィンドウ・システム特有の階層構造による情報提供等での基本操作のために情報検索等が十分にできない子供や高齢者等でも容易に情報検索等の操作を行うことができ、各種情報提供システムのアクセシビリティを向上させ、ユニバーサルデザインを指向する入力インターフェースを提供することもできる。
【図面の簡単な説明】
【０１４７】
【図１】本発明の一実施形態による情報入力装置を適用した婦人靴検索システムの外観構成を示した図である。
【図２】同婦人靴検索システムの構成を機能ブロック図で表したシステム構成を示した図である。
【図３】同婦人靴検索システムにおけるレイアウト表示シート４を示した図である。
【図４】同婦人靴検索システムにおける記憶部５ｃに記憶されたタグＩＤテーブル、属性毎のテーブル、商品ＤＢ及び商品コードＤＢのレコード構造を示した図である。
【図５】同婦人靴検索システムにおけるアプリ部５ｂが行う処理の手順を示したフローチャートである。
【図６】図５中のステップＳ6でアプリ部５ｂが行う処理の手順を示したフローチャートである。
【図７】図６中の“Ａ”以下でアプリ部５ｂが行う処理の手順を示したフローチャートである。
【図８】図６中の“Ｂ”以下でアプリ部５ｂが行う処理の手順を示したフローチャートである。
【図９】図６中及び図１０中の“Ｃ”以下でアプリ部５ｂが行う処理の手順を示したフローチャートである。
【図１０】図８中の“Ｄ”以下でアプリ部５ｂが行う処理の手順を示したフローチャートである。
【図１１】同処理中でＲＦＩＤリーダ３上に置かれた物に対してモニタ６に属性値が指定された初期画面を表示した様子を示した図である。
【図１２】同処理中でＲＦＩＤリーダ３上に置かれた物に対してモニタ６に検索結果画面を表示した様子を示した図である。
【図１３】同検索結果画面の表示中に移動操作プレート２１をＲＦＩＤリーダ３上に置いた時の様子を示した図である。
【図１４】同検索結果画面の表示中に“表示”の３Ｄ映像操作プレート２０をＲＦＩＤリーダ３上に置いた時の様子を示した図である。
【図１５】３Ｄ画面の表示中に“回転停止”の３Ｄ映像操作プレート２０をＲＦＩＤリーダ３上に置いた時の様子を示した図である。
【図１６】図１５の状態から“回転停止”の３Ｄ映像操作プレート２０を取り去った時の様子を示した図である。
【図１７】図１６の状態から“表示”の３Ｄ映像操作プレート２０を取り去った時の様子を示した図である。
【図１８】図１７の状態からサンプル１を変更して検索結果画面が表示された様子を示した図である。
【図１９】図１７の状態からすべてのサンプル１を取り去って当初の初期画面が表示された状態を示した図である。
【図２０】同処理中でＲＦＩＤリーダ３上に置かれた展示靴に対してモニタ６に在庫確認画面を表示した様子を示した図である。
【図２１】図２０の状態で色サンプル１２とサイズサンプル１９をＲＦＩＤリーダ３上に置いた時に在庫確認画面が表示される様子を示した図である。
【図２２】同記婦人靴検索システムでの直感的な操作形態の概略を表した図である。
【図２３】他の形態によるレイアウト表示シートの例を示した図である。
【図２４】図２３のレイアウト表示シートを使用するときの例を示した図である。
【図２５】他の形態による操作手段である操作パック２Ｐを採用した場合におけるＲＦＩＤリーダ３上のレイアウト表示の一例を表したレイアウト表示シート４０を示した図である。
【図２６】操作パック２Ｐの具体的な構成をレイアウト表示シート４０等の関連する他の構成の概略と共に示した図である。
【図２７】操作パック２Ｐの加速度センサの傾いた回転を実現する具体的な構成の例を示した図である。
【図２８】傾けて設置してある場所に操作パック２Ｐを置いて回転操作した場合の加速度変異例を表した図である。
【図２９】同婦人靴検索システムにおいて操作パック２Ｐを利用する場合のシステム構成を示した図である。
【図３０】図６中の“Ａ”以下の処理に操作パック２Ｐの回転操作に応じた表示制御を取り入れた手順の例を示したフローチャートである。
【符号の説明】
【０１４８】
１  サンプル
２  操作プレート
２Ｐ  操作パック
２′  移動操作プレート
３  ＲＦＩＤリーダ
４、４′、４０  レイアウト表示シート
５、５０  コンピュータ
５ｂ、５０ｂ  アプリ部
６  モニタ
【図１】
2008217753.tif 000003
【図２】
2008217753.tif 000004
【図３】
2008217753.tif 000005
【図４】
2008217753.tif 000006
【図５】
2008217753.tif 000007
【図６】
2008217753.tif 000008
【図７】
2008217753.tif 000009
【図８】
2008217753.tif 000010
【図９】
2008217753.tif 000011
【図１０】
2008217753.tif 000012
【図１１】
2008217753.tif 000013
【図１２】
2008217753.tif 000014
【図１３】
2008217753.tif 000015
【図１４】
2008217753.tif 000016
【図１５】
2008217753.tif 000017
【図１６】
2008217753.tif 000018
【図１７】
2008217753.tif 000019
【図１８】
2008217753.tif 000020
【図１９】
2008217753.tif 000021
【図２０】
2008217753.tif 000022
【図２１】
2008217753.tif 000023
【図２２】
2008217753.tif 000024
【図２３】
2008217753.tif 000025
【図２４】
2008217753.tif 000026
【図２５】
2008217753.tif 000027
【図２６】
2008217753.tif 000028
【図２７】
2008217753.tif 000029
【図２８】
2008217753.tif 000030
【図２９】
2008217753.tif 000031
【図３０】
2008217753.tif 000032